(57)【要約】  拡張ライセンス補助アクセス(eLAA)では、CSI測定を報告するためのいくつかの手法を提供することは、CSI報告、特に、非周期CSI報告において柔軟性を提供するために望ましい場合がある。さらに、通信中に、認可キャリアの使用と無認可キャリアの使用との違いが考慮されてもよい。さらに、異なる送信タイプに基づいて異なる送信電力使用量を割り当てることが望ましい場合がある。装置はユーザ機器(UE)であり得る。装置は、UEであってもよい。UEは、アップリンク通信についての許可を受信する。UEは、許可に基づいて報告サブフレームを決定する。UEは、参照サブフレームとして、許可が受信されたトリガサブフレームを選択するか、報告サブフレームの前のサブフレームを選択するかを決定する。UEは、参照サブフレームにおいて測定されたチャネル状態情報(CSI)を、報告サブフレームで送信する。
2019525621.tif 000002
【特許請求の範囲】
【請求項１】
共有スペクトルでのユーザ機器(UE)によるワイヤレス通信の方法であって、
アップリンク通信についての許可を受信するステップと、
前記許可に基づいて報告サブフレームを決定するステップと、
参照サブフレームとして、前記許可が受信されたトリガサブフレームを選択するか、前記報告サブフレームの前のサブフレームを選択するかを決定するステップと、
前記参照サブフレームにおいて測定されたチャネル状態情報(CSI)を、前記報告サブフレームで送信するステップと
を含む方法。
【請求項２】
前記許可が、前記許可の受信とアップリンク送信との間の遅延を示し、前記報告サブフレームが、前記遅延に基づいて決定される、請求項1に記載の方法。
【請求項３】
前記報告サブフレームの位置を示すトリガ信号を受信するステップ
をさらに含み、前記報告サブフレームが、前記許可および前記トリガ信号に基づいて決定される
請求項1に記載の方法。
【請求項４】
前記トリガサブフレームを選択するか、前記報告サブフレームの前の前記サブフレームを選択するかを決定する前記ステップが、無線リソース制御(RRC)信号またはダウンリンク制御情報内の動的指示に基づく、請求項1に記載の方法。
【請求項５】
前記報告サブフレームの前の前記サブフレームが、前記トリガサブフレームの後に配置される、請求項1に記載の方法。
【請求項６】
前記報告サブフレームの前の前記サブフレームが、前記報告サブフレームの少なくともあらかじめ定義された数だけ前のサブフレームに配置される、請求項5に記載の方法。
【請求項７】
前記許可が、ダウンリンク制御情報において動的に示される1つまたは複数の複数送信時間間隔(マルチTTI)許可を含む、請求項1に記載の方法。
【請求項８】
前記報告サブフレームが、1つまたは複数のマルチTTI許可によって示されるサブフレームのうちの1つである、請求項7に記載の方法。
【請求項９】
前記報告サブフレームの前の前記サブフレームが、前記1つまたは複数のマルチTTI許可に基づいて前記参照サブフレームとして選択される、請求項7に記載の方法。
【請求項１０】
共有スペクトルでのユーザ機器(UE)によるワイヤレス通信の方法であって、
セルグループを決定するステップであり、前記セルグループが、アップリンク制御チャネルで構成された少なくとも1つの認可キャリアと、1つまたは複数の無認可キャリアとを含む、ステップと、
前記セルグループによって提供された前記少なくとも1つの認可キャリア上の前記セルグループについてのハイブリッド自動再送要求(HARQ)肯定応答/否定応答(ACK/NACK)または周期チャネル状態情報(CSI)のうちの少なくとも1つを報告するステップと
を含む方法。
【請求項１１】
前記HARQ ACK/NACKまたは前記周期CSIのうちの前記少なくとも1つが、前記アップリンク制御チャネルまたはアップリンク共有チャネルを介して報告される、請求項10に記載の方法。
【請求項１２】
共有スペクトルでのユーザ機器(UE)によるワイヤレス通信の方法であって、
1つまたは複数の認可キャリアを含む第1のセルグループを決定するステップと、
1つまたは複数の無認可キャリアを含む第2のセルグループを決定するステップと、
チャネル状態情報(CSI)トリガを受信するステップと、
前記CSIトリガが前記第1のセルグループ内の第1のキャリア上で受信された場合、前記第1のセルグループ内の認可キャリア上で前記CSIを送信するステップと、
前記CSIトリガが前記第2のセルグループ内の第2のキャリア上で受信された場合、前記第2のセルグループ内の無認可キャリア上で前記CSIを送信するステップと
を含む方法。
【請求項１３】
前記CSIトリガが前記第1のセルグループ内の前記第1のキャリア上で受信された場合、前記第1のセルグループ内の前記認可キャリア上でのみ、前記CSIが送信され、
前記CSIトリガが前記第2のセルグループ内の前記第2のキャリア上で受信された場合、前記第2のセルグループ内の前記無認可キャリア上でのみ、前記CSIが送信される
請求項12に記載の方法。
【請求項１４】
共有スペクトルでのユーザ機器(UE)によるワイヤレス通信の方法であって、
認可キャリア上のアップリンクチャネルを介した認可サービングセルへのアップリンク制御情報の送信に総送信電力の第1の部分を割り振るステップと、
無認可キャリア上の非周期チャネル状態情報(CSI)の無認可セルへの送信に前記総送信電力の第2の部分を割り振るステップであり、前記第2の部分が、前記第1の部分を前記アップリンクチャネルに割り振った後の前記総送信電力の残りの部分以下である、ステップと
を含む方法。
【請求項１５】
前記総送信電力の第3の部分を、前記認可キャリアを介した第1の通信に、および前記無認可キャリアを介した第2の通信に割り振るステップであり、前記第3の部分が、前記第1の部分および前記第2の部分の前記割振り後の前記総送信電力の残りの部分以下である、ステップ
をさらに含む、請求項14に記載の方法。
【請求項１６】
前記第3の部分が、前記認可キャリアを介した前記第1の通信、および前記無認可キャリアを介した前記第2の通信に等しく割り振られる、請求項15に記載の方法。
【請求項１７】
前記アップリンクチャネルが、アップリンク制御チャネルまたはアップリンク共有チャネルのうちの少なくとも1つを含む、請求項14に記載の方法。
【請求項１８】
共有スペクトルでのワイヤレス通信のためのユーザ機器(UE)であって、
アップリンク通信についての許可を受信するための手段と、
前記許可に基づいて報告サブフレームを決定するための手段と、
参照サブフレームとして、前記許可が受信されたトリガサブフレームを選択するか、前記報告サブフレームの前のサブフレームを選択するかを決定するための手段と、
前記参照サブフレームにおいて測定されたチャネル状態情報(CSI)を、前記報告サブフレームで送信するための手段と
を含むUE。
【請求項１９】
前記許可が、前記許可の受信とアップリンク送信との間の遅延を示し、前記報告サブフレームが、前記遅延に基づいて決定される、請求項18に記載のUE。
【請求項２０】
前記報告サブフレームの位置を示すトリガ信号を受信するための手段
をさらに含み、前記報告サブフレームを決定するための前記手段が、前記許可および前記トリガ信号に基づいて前記報告サブフレームを決定するように構成される
請求項18に記載のUE。
【請求項２１】
前記トリガサブフレームを選択するか、前記報告サブフレームの前の前記サブフレームを選択するかを決定するための前記手段が、ダウンリンク制御情報における無線リソース制御(RRC)信号または動的指示に基づいて、前記トリガサブフレームを選択するか、前記報告サブフレームの前の前記サブフレームを選択するかを決定するように構成される、請求項18に記載のUE。
【請求項２２】
前記報告サブフレームの前の前記サブフレームが、前記トリガサブフレームの後に配置される、請求項18に記載のUE。
【請求項２３】
前記報告サブフレームの前の前記サブフレームが、前記報告サブフレームの少なくともあらかじめ定義された数だけ前のサブフレームに配置される、請求項22に記載のUE。
【請求項２４】
前記許可が、ダウンリンク制御情報において動的に示される1つまたは複数の複数送信時間間隔(マルチTTI)許可を含む、請求項18に記載のUE。
【請求項２５】
前記報告サブフレームが、1つまたは複数のマルチTTI許可によって示されるサブフレームのうちの1つである、請求項24に記載のUE。
【請求項２６】
前記報告サブフレームの前の前記サブフレームが、前記1つまたは複数のマルチTTI許可に基づいて前記参照サブフレームとして選択される、請求項24に記載のUE。
【請求項２７】
共有スペクトルでのワイヤレス通信のためのユーザ機器(UE)であって、
セルグループを決定するための手段であり、前記セルグループが、アップリンク制御チャネルで構成された少なくとも1つの認可キャリアと、1つまたは複数の無認可キャリアとを含む、手段と、
前記セルグループによって提供された前記少なくとも1つの認可キャリア上の前記セルグループについてのハイブリッド自動再送要求(HARQ)肯定応答/否定応答(ACK/NACK)または周期チャネル状態情報(CSI)のうちの少なくとも1つを報告するための手段と
を含むUE。
【請求項２８】
前記HARQ ACK/NACKまたは前記周期CSIのうちの前記少なくとも1つが、前記アップリンク制御チャネルまたはアップリンク共有チャネルを介して報告される、請求項27に記載のUE。
【請求項２９】
共有スペクトルでのワイヤレス通信のためのユーザ機器(UE)であって、
1つまたは複数の認可キャリアを含む第1のセルグループを決定するための手段と、
1つまたは複数の無認可キャリアを含む第2のセルグループを決定するための手段と、
チャネル状態情報(CSI)トリガを受信するための手段と、
前記CSIトリガが前記第1のセルグループ内の第1のキャリア上で受信された場合、前記第1のセルグループ内の認可キャリア上で前記CSIを送信するための手段と、
前記CSIトリガが前記第2のセルグループ内の第2のキャリア上で受信された場合、前記第2のセルグループ内の無認可キャリア上で前記CSIを送信するための手段と
を含むUE。
【請求項３０】
前記CSIトリガが前記第1のセルグループ内の前記第1のキャリア上で受信された場合、前記第1のセルグループ内の前記認可キャリア上でのみ、前記CSIが送信され、
前記CSIトリガが前記第2のセルグループ内の前記第2のキャリア上で受信された場合、前記第2のセルグループ内の前記無認可キャリア上でのみ、前記CSIが送信される
請求項29に記載のUE。
【請求項３１】
共有スペクトルでのワイヤレス通信のためのユーザ機器(UE)であって、
認可キャリア上のアップリンクチャネルを介した認可サービングセルへのアップリンク制御情報の送信に総送信電力の第1の部分を割り振るための手段と、
無認可キャリア上の非周期チャネル状態情報(CSI)の無認可セルへの送信に前記総送信電力の第2の部分を割り振るための手段であり、前記第2の部分が、前記第1の部分を前記アップリンクチャネルに割り振った後の前記総送信電力の残りの部分以下である、手段と
を含むUE。
【請求項３２】
前記総送信電力の第3の部分を、前記認可キャリアを介した第1の通信に、および前記無認可キャリアを介した第2の通信に割り振るための手段であり、前記第3の部分が、前記第1の部分および前記第2の部分の前記割振り後の前記総送信電力の残りの部分以下である、手段
をさらに含む、請求項31に記載のUE。
【請求項３３】
前記第3の部分が、前記認可キャリアを介した前記第1の通信、および前記無認可キャリアを介した前記第2の通信に等しく割り振られる、請求項32に記載のUE。
【請求項３４】
前記アップリンクチャネルが、アップリンク制御チャネルまたはアップリンク共有チャネルのうちの少なくとも1つを含む、請求項31に記載のUE。
【請求項３５】
共有スペクトルでのワイヤレス通信のためのユーザ機器(UE)であって、
メモリと、
前記メモリに結合された少なくとも1つのプロセッサとを備え、前記プロセッサが、
アップリンク通信についての許可を受信し、
前記許可に基づいて報告サブフレームを決定し、
参照サブフレームとして、前記許可が受信されたトリガサブフレームを選択するか、前記報告サブフレームの前のサブフレームを選択するかを決定し、
前記参照サブフレームにおいて測定されたチャネル状態情報(CSI)を、前記報告サブフレームで送信する
ように構成される、
UE。
【請求項３６】
前記許可が、前記許可の受信とアップリンク送信との間の遅延を示し、前記報告サブフレームが、前記遅延に基づいて決定される、請求項35に記載のUE。
【請求項３７】
前記少なくとも1つのプロセッサがさらに、
前記報告サブフレームの位置を示すトリガ信号を受信する
ように構成され、前記報告サブフレームが、前記許可および前記トリガ信号に基づいて決定される
請求項35に記載のUE。
【請求項３８】
前記少なくとも1つのプロセッサが、無線リソース制御(RRC)信号またはダウンリンク制御情報内の動的指示に基づいて、前記トリガサブフレームを選択するか、前記報告サブフレームの前の前記サブフレームを選択するかを決定する、請求項35に記載のUE。
【請求項３９】
前記報告サブフレームの前の前記サブフレームが、前記トリガサブフレームの後に配置される、請求項35に記載のUE。
【請求項４０】
前記報告サブフレームの前の前記サブフレームが、前記報告サブフレームの少なくともあらかじめ定義された数だけ前のサブフレームに配置される、請求項39に記載のUE。
【請求項４１】
前記許可が、ダウンリンク制御情報において動的に示される1つまたは複数の複数送信時間間隔(マルチTTI)許可を含む、請求項35に記載のUE。
【請求項４２】
前記報告サブフレームが、1つまたは複数のマルチTTI許可によって示されるサブフレームのうちの1つである、請求項41に記載のUE。
【請求項４３】
前記報告サブフレームの前の前記サブフレームが、前記1つまたは複数のマルチTTI許可に基づいて前記参照サブフレームとして選択される、請求項41に記載のUE。
【請求項４４】
共有スペクトルでのワイヤレス通信のためのユーザ機器(UE)であって、
メモリと、
前記メモリに結合された少なくとも1つのプロセッサとを備え、前記プロセッサが、
セルグループを決定し、前記セルグループが、アップリンク制御チャネルで構成された少なくとも1つの認可キャリアと、1つまたは複数の無認可キャリアとを含み、
前記セルグループによって提供された前記少なくとも1つの認可キャリア上の前記セルグループについてのハイブリッド自動再送要求(HARQ)肯定応答/否定応答(ACK/NACK)または周期チャネル状態情報(CSI)のうちの少なくとも1つを報告する
ように構成される
UE。
【請求項４５】
前記HARQ ACK/NACKまたは前記周期CSIのうちの前記少なくとも1つが、前記アップリンク制御チャネルまたはアップリンク共有チャネルを介して報告される、請求項44に記載のUE。
【請求項４６】
共有スペクトルでのワイヤレス通信のためのユーザ機器(UE)であって、
メモリと、
前記メモリに結合された少なくとも1つのプロセッサとを備え、前記プロセッサが、
1つまたは複数の認可キャリアを含む第1のセルグループを決定し、
1つまたは複数の無認可キャリアを含む第2のセルグループを決定し、
チャネル状態情報(CSI)トリガを受信し、
前記CSIトリガが前記第1のセルグループ内の第1のキャリア上で受信された場合、前記第1のセルグループ内の認可キャリア上で前記CSIを送信し、
前記CSIトリガが前記第2のセルグループ内の第2のキャリア上で受信された場合、前記第2のセルグループ内の無認可キャリア上で前記CSIを送信する
ように構成される
UE。
【請求項４７】
前記CSIトリガが前記第1のセルグループ内の前記第1のキャリア上で受信された場合、前記第1のセルグループ内の前記認可キャリア上でのみ、前記CSIが送信され、
前記CSIトリガが前記第2のセルグループ内の前記第2のキャリア上で受信された場合、前記第2のセルグループ内の前記無認可キャリア上でのみ、前記CSIが送信される
請求項46に記載のUE。
【請求項４８】
共有スペクトルでのワイヤレス通信のためのユーザ機器(UE)であって、
メモリと、
前記メモリに結合された少なくとも1つのプロセッサとを備え、前記プロセッサが、
認可キャリア上のアップリンクチャネルを介した認可サービングセルへのアップリンク制御情報の送信に総送信電力の第1の部分を割り振り、
無認可キャリア上の非周期チャネル状態情報(CSI)の無認可セルへの送信に前記総送信電力の第2の部分を割り振り、前記第2の部分が、前記第1の部分を前記アップリンクチャネルに割り振った後の前記総送信電力の残りの部分以下である、
ように構成される
UE。
【請求項４９】
前記少なくとも1つのプロセッサがさらに、
前記総送信電力の第3の部分を、前記認可キャリアを介した第1の通信に、および前記無認可キャリアを介した第2の通信に割り振り、前記第3の部分が、前記第1の部分および前記第2の部分の前記割振り後の前記総送信電力の残りの部分以下である
ように構成される、請求項48に記載のUE。
【請求項５０】
前記第3の部分が、前記認可キャリアを介した前記第1の通信、および前記無認可キャリアを介した前記第2の通信に等しく割り振られる、請求項49に記載のUE。
【請求項５１】
前記アップリンクチャネルが、アップリンク制御チャネルまたはアップリンク共有チャネルのうちの少なくとも1つを含む、請求項48に記載のUE。
【請求項５２】
コンピュータ実行可能コードを記憶するコンピュータ可読媒体であって、
アップリンク通信についての許可を受信し、
前記許可に基づいて報告サブフレームを決定し、
参照サブフレームとして、前記許可が受信されたトリガサブフレームを選択するか、前記報告サブフレームの前のサブフレームを選択するかを決定し、
前記参照サブフレームにおいて測定されたチャネル状態情報(CSI)を、前記報告サブフレームで送信する
ためのコードを含む、コンピュータ可読媒体。
【請求項５３】
共有スペクトルでのワイヤレス通信のためのユーザ機器(UE)のコンピュータ実行可能コードを記憶するコンピュータ可読媒体であって、
セルグループを決定し、前記セルグループが、アップリンク制御チャネルで構成された少なくとも1つの認可キャリアと、1つまたは複数の無認可キャリアとを含み、
前記セルグループによって提供された前記少なくとも1つの認可キャリア上の前記セルグループについてのハイブリッド自動再送要求(HARQ)肯定応答/否定応答(ACK/NACK)または周期チャネル状態情報(CSI)のうちの少なくとも1つを報告する
ためのコードを含む、コンピュータ可読媒体。
【請求項５４】
共有スペクトルでのワイヤレス通信のためのユーザ機器(UE)のコンピュータ実行可能コードを記憶するコンピュータ可読媒体であって、
1つまたは複数の認可キャリアを含む第1のセルグループを決定し、
1つまたは複数の無認可キャリアを含む第2のセルグループを決定し、
チャネル状態情報(CSI)トリガを受信し、
前記CSIトリガが前記第1のセルグループ内のキャリア上で受信された場合、前記第1のセルグループ内の認可キャリア上で前記CSIを送信し、
前記CSIトリガが前記第2のセルグループ内のキャリア上で受信された場合、前記第2のセルグループ内の無認可キャリア上で前記CSIを送信する
ためのコードを含む、コンピュータ可読媒体。
【請求項５５】
共有スペクトルでのワイヤレス通信のためのユーザ機器(UE)のコンピュータ実行可能コードを記憶するコンピュータ可読媒体であって、
認可キャリア上のアップリンクチャネルを介した認可サービングセルへのアップリンク制御情報の送信に総送信電力の第1の部分を割り振り、
無認可キャリア上の非周期チャネル状態情報(CSI)の無認可セルへの送信に前記総送信電力の第2の部分を割り振り、前記第2の部分が、前記第1の部分を前記アップリンクチャネルに割り振った後の前記総送信電力の残りの部分以下である、
ためのコードを含む、コンピュータ可読媒体。
【発明の詳細な説明】
【技術分野】
【０００１】
関連出願の相互参照
本出願は、2016年8月8日に出願された「PERIODIC AND APERIODIC CSI REPORTING PROCEDURES FOR ENHANCED LICENSED ASSISTED ACCESS」という表題の米国仮出願第62/372,264号、および2017年3月16日に出願された「PERIODIC AND APERIODIC CSI REPORTING PROCEDURES FOR ENHANCED LICENSED ASSISTED ACCESS」という表題の米国特許出願第15/461,280号の利益を主張し、これらは全体が参照によって本明細書に明確に組み込まれる。
【０００２】
本開示は、一般に通信システムに関し、より詳細には、チャネル品質の測定および報告、ならびにチャネル品質報告を送信するための電力制御に関する。
【背景技術】
【０００３】
ワイヤレス通信システムは、電話、ビデオ、データ、メッセージング、およびブロードキャストなどの、様々な電気通信サービスを提供するために広く展開されている。典型的なワイヤレス通信システムは、利用可能なシステムリソースを共有することによって複数のユーザとの通信をサポートすることが可能な多元接続技術を採用する場合がある。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、異なるワイヤレスデバイスが都市、国家、地域、さらには地球レベルで通信することを可能にする共通プロトコルを提供するために、様々な電気通信規格において採用されている。例示的な電気通信規格はロングタームエボリューション(LTE)である。LTEは、第3世代パートナーシッププロジェクト(3GPP)によって公表されたユニバーサルモバイルテレコミュニケーションズシステム(UMTS)モバイル規格に対する拡張のセットである。LTEは、ダウンリンク上でOFDMAを使用し、アップリンク上でSC-FDMAを使用し、多入力多出力(MIMO)アンテナ技術を使用して、スペクトル効率の改善、コストの低下、およびサービスの改善を通じて、モバイルブロードバンドアクセスをサポートするように設計されている。しかしながら、モバイルブロードバンドアクセスに対する需要が増大し続けるにつれて、LTE技術におけるさらなる改善が必要である。これらの改善は、他の多元接続技術、およびこれらの技術を採用する電気通信規格にも適用可能であり得る。
【発明の概要】
【課題を解決するための手段】
【０００５】
以下で、1つまたは複数の態様の基本的理解を可能にするために、そのような態様の簡略化された概要を提示する。この概要は、すべての考えられる態様の包括的な概説ではなく、すべての態様の主要または重要な要素を識別することも、いずれかまたはすべての態様の範囲を定めることも意図していない。その唯一の目的は、後で提示されるより詳細な説明の導入として、1つまたは複数の態様のいくつかの概念を簡略化された形で提示することである。
【０００６】
拡張ライセンス補助アクセス(eLAA)では、チャネル状態情報(CSI)の測定および報告は、アップリンク許可および他のシグナリングに基づき得る。ユーザ機器(UE)は、周期CSI報告および/または非周期CSI報告を介して測定されたCSIを報告し得る。CSI測定を報告するためのいくつかの手法を提供することは、CSI報告、特に、非周期CSI報告において柔軟性を提供するために望ましい場合がある。さらに、通信中に、認可キャリアの使用と無認可キャリアの使用との違いが考慮されてもよい。さらに、UE送信電力使用量をスケールするために、異なる送信に異なる優先順位が割り当てられてもよい。
【０００７】
本開示の一態様では、方法、コンピュータ可読媒体、および装置が提供される。装置は、共有スペクトルでのワイヤレス通信のためのUEであり得る。UEは、アップリンク通信についての許可を受信する。UEは、許可に基づいて報告サブフレームを決定する。UEは、参照サブフレームとして、許可が受信されたトリガサブフレームを選択するか、報告サブフレームの前のサブフレームを選択するかを決定する。UEは、参照サブフレームにおいて測定されたCSIを、報告サブフレームで送信する。
【０００８】
一態様では、装置は、共有スペクトルでのワイヤレス通信のためのUEであり得る。UEは、アップリンク通信についての許可を受信するための手段を含み得る。UEは、許可に基づいて報告サブフレームを決定するための手段を含み得る。UEは、参照サブフレームとして、許可が受信されたトリガサブフレームを選択するか、報告サブフレームの前のサブフレームを選択するかを決定するための手段を含み得る。UEは、参照サブフレームにおいて測定されたCSIを、報告サブフレームで送信するための手段を含み得る。
【０００９】
一態様では、装置は、共有スペクトルでのワイヤレス通信のためのUEであり得、UEは、メモリと、メモリに結合された少なくとも1つのプロセッサとを含み得る。少なくとも1つのプロセッサは、アップリンク通信についての許可を受信し、許可に基づいて報告サブフレームを決定し、参照サブフレームとして、許可が受信されたトリガサブフレームを選択するか、報告サブフレームの前のサブフレームを選択するかを決定し、参照サブフレームにおいて測定されたCSIを、報告サブフレームで送信するように構成され得る。
【００１０】
一態様では、共有スペクトルでのワイヤレス通信のためのUEのコンピュータ実行可能コードを記憶するコンピュータ可読媒体は、アップリンク通信についての許可を受信し、許可に基づいて報告サブフレームを決定し、参照サブフレームとして、許可が受信されたトリガサブフレームを選択するか、報告サブフレームの前のサブフレームを選択するかを決定し、参照サブフレームにおいて測定されたCSIを、報告サブフレームで送信するためのコードを含み得る。
【００１１】
本開示の別の態様では、方法、コンピュータ可読媒体、および装置が提供される。装置は、共有スペクトルでのワイヤレス通信のためのUEであり得る。UEは、セルグループを決定し、セルグループは、アップリンク制御チャネルで構成された少なくとも1つの認可キャリアと、1つまたは複数の無認可キャリアとを含む。UEは、セルグループによって提供された少なくとも1つの認可キャリア上のセルグループについてのハイブリッド自動再送要求(HARQ)肯定応答/否定応答(ACK/NACK)または周期CSIのうちの少なくとも1つを報告する。
【００１２】
一態様では、装置は、共有スペクトルでのワイヤレス通信のためのUEであり得る。UEは、セルグループを決定するための手段を含んでいてもよく、セルグループは、アップリンク制御チャネルで構成された少なくとも1つの認可キャリアと、1つまたは複数の無認可キャリアとを含む。UEは、セルグループによって提供された少なくとも1つの認可キャリア上のセルグループについてのHARQ ACK/NACKまたは周期CSIのうちの少なくとも1つを報告するための手段を含み得る。
【００１３】
一態様では、装置は、共有スペクトルでのワイヤレス通信のためのUEであり得、UEは、メモリと、メモリに結合された少なくとも1つのプロセッサとを含み得る。少なくとも1つのプロセッサは、セルグループを決定し、セルグループは、アップリンク制御チャネルで構成された少なくとも1つの認可キャリアと、1つまたは複数の無認可キャリアとを含み、セルグループによって提供された少なくとも1つの認可キャリア上のセルグループについてのHARQ ACK/NACKまたは周期CSIのうちの少なくとも1つを報告するように構成され得る。
【００１４】
一態様では、共有スペクトルでのワイヤレス通信のためのUEのコンピュータ実行可能コードを記憶するコンピュータ可読媒体は、セルグループを決定し、セルグループは、アップリンク制御チャネルで構成された少なくとも1つの認可キャリアと、1つまたは複数の無認可キャリアとを含み、セルグループによって提供された少なくとも1つの認可キャリア上のセルグループについてのHARQ ACK/NACKまたは周期CSIのうちの少なくとも1つを報告するためのコードを含み得る。
【００１５】
本開示の別の態様では、方法、コンピュータ可読媒体、および装置が提供される。装置は、共有スペクトルでのワイヤレス通信のためのUEであり得る。UEは、1つまたは複数の認可キャリアを含む第1のセルグループを決定する。UEは、1つまたは複数の無認可キャリアを含む第2のセルグループを決定する。UEは、CSIトリガを受信する。CSIトリガが第1のセルグループ内の第1のキャリア上で受信された場合、UEは、第1のセルグループ内の認可キャリア上でCSIを送信する。CSIトリガが第2のセルグループ内の第2のキャリア上で受信された場合、UEは、第2のセルグループ内の無認可キャリア上でCSIを送信する。
【００１６】
一態様では、装置は、共有スペクトルでのワイヤレス通信のためのUEであり得る。UEは、1つまたは複数の認可キャリアを含む第1のセルグループを決定するための手段を含み得る。UEは、1つまたは複数の無認可キャリアを含む第2のセルグループを決定するための手段を含み得る。UEは、CSIトリガを受信することを含み得る。CSIトリガが第1のセルグループ内の第1のキャリア上で受信された場合、UEは、第1のセルグループ内の認可キャリア上でCSIを送信するための手段を含み得る。CSIトリガが第2のセルグループ内の第2のキャリア上で受信された場合、UEは、第2のセルグループ内の無認可キャリア上でCSIを送信するための手段を含み得る。
【００１７】
一態様では、装置は、共有スペクトルでのワイヤレス通信のためのUEであり得、UEは、メモリと、メモリに結合された少なくとも1つのプロセッサとを含み得る。少なくとも1つのプロセッサは、1つまたは複数の認可キャリアを含む第1のセルグループを決定し、1つまたは複数の無認可キャリアを含む第2のセルグループを決定し、CSIトリガを受信し、CSIトリガが第1のセルグループ内の第1のキャリア上で受信された場合、第1のセルグループ内の認可キャリア上でCSIを送信し、CSIトリガが第2のセルグループ内の第2のキャリア上で受信された場合、第2のセルグループ内の無認可キャリア上でCSIを送信するように構成され得る。
【００１８】
一態様では、共有スペクトルでのワイヤレス通信のためのUEのコンピュータ実行可能コードを記憶するコンピュータ可読媒体は、1つまたは複数の認可キャリアを含む第1のセルグループを決定し、1つまたは複数の無認可キャリアを含む第2のセルグループを決定し、CSIトリガを受信し、CSIトリガが第1のセルグループ内の第1のキャリア上で受信された場合、第1のセルグループ内の認可キャリア上でCSIを送信し、CSIトリガが第2のセルグループ内の第2のキャリア上で受信された場合、第2のセルグループ内の無認可キャリア上でCSIを送信するためのコードを含み得る。
【００１９】
本開示の別の態様では、方法、コンピュータ可読媒体、および装置が提供される。装置は、共有スペクトルでのワイヤレス通信のためのUEであり得る。UEは、認可キャリア上のアップリンクチャネルを介した認可サービングセルへのアップリンク制御情報の送信に総送信電力の第1の部分を割り振る。UEは、無認可キャリア上の非周期CSIの無認可セルへの送信に総送信電力の第2の部分を割り振り、第2の部分は、第1の部分をアップリンクチャネルに割り振った後の総送信電力の残りの部分以下である。
【００２０】
一態様では、装置は、共有スペクトルでのワイヤレス通信のためのUEであり得る。UEは、認可キャリア上のアップリンクチャネルを介した認可サービングセルへのアップリンク制御情報の送信に総送信電力の第1の部分を割り振るための手段を含み得る。UEは、無認可キャリア上の非周期CSIの無認可セルへの送信に総送信電力の第2の部分を割り振るための手段を含み得、第2の部分は、第1の部分をアップリンクチャネルに割り振った後の総送信電力の残りの部分以下である。
【００２１】
一態様では、装置は、共有スペクトルでのワイヤレス通信のためのUEであり得、UEは、メモリと、メモリに結合された少なくとも1つのプロセッサとを含み得る。少なくとも1つのプロセッサは、認可キャリア上のアップリンクチャネルを介した認可サービングセルへのアップリンク制御情報の送信に総送信電力の第1の部分を割り振り、無認可キャリア上の非周期CSIの無認可セルへの送信に総送信電力の第2の部分を割り振り、第2の部分は、第1の部分をアップリンクチャネルに割り振った後の総送信電力の残りの部分以下である、ように構成され得る。
【００２２】
一態様では、共有スペクトルでのワイヤレス通信のためのUEのコンピュータ実行可能コードを記憶するコンピュータ可読媒体は、認可キャリア上のアップリンクチャネルを介した認可サービングセルへのアップリンク制御情報の送信に総送信電力の第1の部分を割り振り、無認可キャリア上の非周期CSIの無認可セルへの送信に総送信電力の第2の部分を割り振り、第2の部分は、第1の部分をアップリンクチャネルに割り振った後の総送信電力の残りの部分以下である、ためのコードを含み得る。
【００２３】
上記の目的および関係する目的を達成するために、1つまたは複数の態様は、以下で十分に説明され、特に特許請求の範囲で指摘する特徴を含む。以下の説明および添付の図面は、1つまたは複数の態様のいくつかの例示的な特徴を詳細に記載している。しかしながら、これらの特徴は、様々な態様の原理が採用され得る様々な方法のほんのいくつかを示すものであり、この説明は、すべてのそのような態様およびそれらの均等物を含むものとする。
【図面の簡単な説明】
【００２４】
【図１】ワイヤレス通信システムおよびアクセスネットワークの一例を示す図である。
【図２Ａ】DLフレーム構造のLTEの例を示す図である。
【図２Ｂ】DLフレーム構造内のDLチャネルのLTEの例を示す図である。
【図２Ｃ】ULフレーム構造のLTEの例を示す図である。
【図２Ｄ】ULフレーム構造内のULチャネルのLTEの例を示す図である。
【図３】アクセスネットワーク内の発展型ノードB(eNB)およびユーザ機器(UE)の一例を示す図である。
【図４】チャネル状態情報の測定および報告を示す例示的なタイムライン図である。
【図５Ａ】本開示の一態様による、参照サブフレームにおけるチャネル状態情報(CSI)測定を示す例示的な図である。
【図５Ｂ】本開示の一態様による、報告サブフレームにおけるCSI報告を示す例示的な図である。
【図６Ａ】本開示の別の態様による、参照サブフレームにおけるCSI測定を示す例示的な図である。
【図６Ｂ】本開示の別の態様による、報告サブフレームにおけるCSI報告を示す例示的な図である。
【図７】複数の送信時間間隔許可に基づくチャネル状態情報の測定および報告を示す例示的な図である。
【図８】本開示の一態様による、ワイヤレス通信の方法のフローチャートである。
【図９】本開示の別の態様による、ワイヤレス通信の方法のフローチャートである。
【図１０】本開示の別の態様による、ワイヤレス通信の方法のフローチャートである。
【図１１】本開示の別の態様による、ワイヤレス通信の方法のフローチャートである。
【図１２】例示的な装置における異なる手段/構成要素間のデータフローを示す概念データフロー図である。
【図１３】処理システムを採用する装置のためのハードウェア実装形態の一例を示す図である。
【発明を実施するための形態】
【００２５】
添付の図面に関して以下に記載する発明を実施するための形態は、様々な構成について説明するものであり、本明細書で説明する概念が実践され得る構成のみを表すものではない。詳細な説明は、様々な概念の完全な理解を与える目的で、具体的な詳細を含む。しかしながら、これらの概念がこれらの具体的な詳細なしに実践されてもよいことが、当業者には明らかであろう。いくつかの事例では、そのような概念を不明瞭にすることを回避するために、よく知られている構造および構成要素がブロック図の形態で示される。
【００２６】
以下に、電気通信システムのいくつかの態様を、様々な装置および方法を参照しながら提示する。これらの装置および方法は、以下の発明を実施するための形態において説明され、(「要素」と総称される)様々なブロック、構成要素、回路、プロセス、アルゴリズムなどによって添付の図面において示される。これらの要素は、電子ハードウェア、コンピュータソフトウェア、またはそれらの任意の組合せを使用して実装されてもよい。そのような要素がハードウェアとして実装されるのか、それともソフトウェアとして実装されるのかは、具体的な適用例および全体的なシステムに課された設計制約に依存する。
【００２７】
例として、要素、または要素の任意の部分、または要素の任意の組合せは、1つまたは複数のプロセッサを含む「処理システム」として実装されることがある。プロセッサの例には、マイクロプロセッサ、マイクロコントローラ、グラフィックス処理装置(GPU)、中央処理装置(CPU)、アプリケーションプロセッサ、デジタル信号プロセッサ(DSP)、縮小命令セットコンピューティング(RISC)プロセッサ、システムオンチップ(SoC)、ベースバンドプロセッサ、フィールドプログラマブルゲートアレイ(FPGA)、プログラマブル論理デバイス(PLD)、ステートマシン、ゲート論理、個別ハードウェア回路、および本開示全体にわたって説明される様々な機能を実行するように構成された他の適切なハードウェアがある。処理システムの中の1つまたは複数のプロセッサが、ソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。
【００２８】
したがって、1つまたは複数の例示的な実施形態では、説明される機能は、ハードウェア、ソフトウェア、またはそれらの任意の組合せで実装されることがある。ソフトウェアで実装される場合、機能は、コンピュータ可読媒体上に記憶されるか、またはコンピュータ可読媒体上に1つまたは複数の命令もしくはコードとして符号化されることがある。コンピュータ可読媒体は、コンピュータ記憶媒体を含む。記憶媒体は、コンピュータによってアクセス可能な任意の利用可能な媒体であってもよい。限定ではない例として、そのようなコンピュータ可読媒体は、ランダムアクセスメモリ(RAM)、読取り専用メモリ(ROM)、電気的消去可能プログラマブルROM(EEPROM)、光ディスクストレージ、磁気ディスクストレージ、他の磁気ストレージデバイス、上述のタイプのコンピュータ可読媒体の組合せ、または、コンピュータによってアクセス可能な命令もしくはデータ構造の形態のコンピュータ実行可能コードを記憶するために使用可能な任意の他の媒体を備えることができる。
【００２９】
図1は、ワイヤレス通信システムおよびアクセスネットワーク100の例を示す図である。(ワイヤレスワイドエリアネットワーク(WWAN)とも呼ばれる)ワイヤレス通信システムは、基地局102と、UE104と、発展型パケットコア(EPC)160とを含む。基地局102は、マクロセル(高電力セルラー基地局)および/またはスモールセル(低電力セルラー基地局)を含む場合がある。マクロセルはeNBを含む。スモールセルは、フェムトセルと、ピコセルと、マイクロセルとを含む。
【００３０】
(発展型ユニバーサルモバイルテレコミュニケーションシステム(UMTS)地上波無線アクセスネットワーク(E-UTRAN)と総称される)基地局102は、バックホールリンク132(たとえば、S1インターフェース)を介してEPC160とインターフェースする。他の機能に加えて、基地局102は、以下の機能:ユーザデータの転送、無線チャネル暗号化および解読、完全性保護、ヘッダ圧縮、モビリティ制御機能(たとえば、ハンドオーバー、デュアル接続性)、セル間干渉協調、接続セットアップおよび解放、負荷分散、非アクセス層(NAS)メッセージのための分配、NASノード選択、同期、無線アクセスネットワーク(RAN)共有、マルチメディアブロードキャストマルチキャストサービス(MBMS)、加入者および機器トレース、RAN情報管理(RIM)、ページング、測位、ならびに警告メッセージの配信のうちの1つまたは複数を実施することができる。基地局102は、バックホールリンク134(たとえば、X2インターフェース)上で互いに直接的または(たとえば、EPC160を介して)間接的に通信することができる。バックホールリンク134は有線またはワイヤレスであり得る。
【００３１】
基地局102はUE104とワイヤレスに通信することができる。基地局102の各々は、それぞれの地理的カバレージエリア110に通信カバレージを提供してもよい。重複する地理的カバレージエリア110が存在する場合がある。たとえば、スモールセル102'は、1つまたは複数のマクロ基地局102のカバレージエリア110と重複するカバレージエリア110'を有する場合がある。スモールセルとマクロセルの両方を含むネットワークは、異種ネットワークとして知られていることがある。異種ネットワークは、限定加入者グループ(CSG)として知られる限定グループにサービスを提供し得るホーム発展型ノードB(eNB)(HeNB)を含むこともある。基地局102とUE104との間の通信リンク120は、UE104から基地局102への(逆方向リンクとも呼ばれる)アップリンク(UL)送信、および/または基地局102からUE104への(順方向リンクとも呼ばれる)ダウンリンク(DL)送信を含むことがある。通信リンク120は、空間多重化、ビームフォーミング、および/または送信ダイバーシティを含む、MIMOアンテナ技術を使用することができる。通信リンクは、1つまたは複数のキャリアを介する場合がある。基地局102/UE104は、各方向における送信用に使用される合計YxMHz(x個のコンポーネントキャリア)までのキャリアアグリゲーションにおいて割り振られた、キャリア当たりYMHz(たとえば、5、10、15、20MHz)までの帯域幅のスペクトルを使用してもよい。キャリアは、互いに隣接する場合も、隣接しない場合もある。キャリアの割振りは、DLおよびULに対して非対称であってもよい(たとえば、DLに対し、ULの場合よりも多いかまたは少ないキャリアが割り振られる場合がある)。コンポーネントキャリアは、1次コンポーネントキャリアと、1つまたは複数の2次コンポーネントキャリアとを含む場合がある。1次コンポーネントキャリアは1次セル(PCell)と呼ばれる場合があり、2次コンポーネントキャリアは2次セル(SCell)と呼ばれる場合がある。
【００３２】
ワイヤレス通信システムは、5GHz無認可周波数スペクトル内で通信リンク154を介してWi-Fi局(STA)152と通信しているWi-Fiアクセスポイント(AP)150をさらに含む場合がある。無認可周波数スペクトル内で通信するとき、STA152/AP150は、チャネルが利用可能であるかどうかを決定するために、通信するより前にクリアチャネルアセスメント(CCA)を実施することができる。
【００３３】
スモールセル102'は、認可および/または無認可の周波数スペクトル内で動作してもよい。無認可周波数スペクトル内で動作しているとき、スモールセル102'は、LTEを採用し、Wi-Fi AP150によって使用されるのと同じ5GHz無認可周波数スペクトルを使用してもよい。無認可周波数スペクトル内でLTEを採用するスモールセル102'は、アクセスネットワークへのカバレージをブーストすること、および/またはアクセスネットワークの容量を増加させることができる。無認可スペクトルにおけるLTEは、LTE無認可(LTE-U)、ライセンス補助アクセス(LAA)、またはMuLTEfireと呼ばれる場合がある。
【００３４】
ミリメートル波(mmW)基地局180は、mmW周波数および/または準mmW周波数(near mmW frequency)で動作することがある。極高周波数(EHF:extremely high frequency)は、電磁スペクトルにおいてRFの一部である。EHFは、30GHz〜300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。超高周波数(SHF:super high frequency)帯域は、センチメートル波とも呼ばれ、3GHzから30GHzの間に及ぶ。mmW/準mmW無線周波数帯域を使用する通信は、極めて高い経路損失および短距離を有する。mmW基地局180は、UE182と通信するときに極めて高い経路損失および短距離を補償するためにビームフォーミング184を利用してもよい。
【００３５】
EPC160は、モビリティ管理エンティティ(MME)162と、他のMME164と、サービングゲートウェイ166と、マルチメディアブロードキャストマルチキャストサービス(MBMS)ゲートウェイ168と、ブロードキャストマルチキャストサービスセンタ(BM-SC)170と、パケットデータネットワーク(PDN)ゲートウェイ172とを含み得る。MME162は、ホーム加入者サーバ(HSS)174と通信している場合がある。MME162は、UE104とEPC160との間のシグナリングを処理する制御ノードである。概して、MME162はベアラと接続管理とを提供する。すべてのユーザインターネットプロトコル(IP)パケットは、サービングゲートウェイ166を介して転送され、サービングゲートウェイ166自体はPDNゲートウェイ172に接続される。PDNゲートウェイ172は、UEのIPアドレス割振りならびに他の機能を提供する。PDNゲートウェイ172およびBM-SC170は、IPサービス176に接続される。IPサービス176は、インターネット、イントラネット、IPマルチメディアサブシステム(IMS)、PSストリーミングサービス(PSS)、および/または他のIPサービスを含む場合がある。BM-SC170は、MBMSユーザサービスのプロビジョニングおよび配信のための機能を提供することができる。BM-SC170は、コンテンツプロバイダMBMS送信のためのエントリポイントとして働く場合があり、公的地域モバイルネットワーク(PLMN)内のMBMSベアラサービスを認可および開始するために使用される場合があり、MBMS送信をスケジュールするために使用される場合がある。MBMSゲートウェイ168は、特定のサービスをブロードキャストするマルチキャストブロードキャスト単一周波数ネットワーク(MBSFN)エリアに属する基地局102にMBMSトラフィックを配信するために使用される場合があり、セッション管理(開始/停止)およびeMBMS関係の課金情報を収集することに関与する場合がある。
【００３６】
基地局は、ノードB、発展型ノードB(eNB)、アクセスポイント、トランシーバ基地局、無線基地局、無線トランシーバ、トランシーバ機能、基本サービスセット(BSS)、拡張サービスセット(ESS)、または他の何らかの適切な用語で呼ばれることもある。基地局102は、UE104にEPC160へのアクセスポイントを提供する。UE104の例には、携帯電話、スマートフォン、セッション開始プロトコル(SIP)電話、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲーム機、タブレット、スマートデバイス、ウェアラブルデバイス、または任意の他の同様の機能デバイスが含まれる。UE104は、局、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または他の何らかの適切な用語で呼ばれる場合もある。
【００３７】
再び図1を参照すると、いくつかの態様では、UE104は、アップリンク許可に基づいてCSIを測定し、報告する方法を決定するように構成され、認可キャリアと異なる無認可キャリアとを利用するように構成され、送信タイプに基づいて、UE送信電力をスケールするように構成され得る(198)。
【００３８】
図2Aは、LTEにおけるDLフレーム構造の例を示す図200である。図2Bは、LTEにおけるDLフレーム構造内のチャネルの例を示す図230である。図2Cは、LTEにおけるULフレーム構造の例を示す図250である。図2Dは、LTEにおけるULフレーム構造内のチャネルの例を示す図280である。他のワイヤレス通信技術は、異なるフレーム構造および/または異なるチャネルを有することがある。LTEでは、フレーム(10ms)は、10個の等しいサイズのサブフレームに分割されることがある。各サブフレームは、2つの連続するタイムスロットを含み得る。2つのタイムスロットを表すためにリソースグリッドが使用されることがあり、各タイムスロットは、1つまたは複数の(物理RB(PRB)とも呼ばれる)同時のリソースブロック(RB)を含む。リソースグリッドは複数のリソース要素(RE)に分割される。LTEでは、ノーマルサイクリックプレフィックスの場合、RBは、合計で84個のREについて、周波数領域に12個の連続するサブキャリアを含み、時間領域に7つの連続するシンボル(DLの場合はOFDMシンボル、ULの場合はSC-FDMAシンボル)を含んでいる。拡張サイクリックプレフィックスの場合、RBは、合計で72個のREについて、周波数領域に12個の連続するサブキャリアを含んでおり、時間領域に6個の連続するシンボルを含んでいる。各REによって搬送されるビット数は変調方式に依存する。
【００３９】
図2Aに示されたように、REのうちのいくつかは、UEにおけるチャネル推定のためのDL基準(パイロット)信号(DL-RS)を搬送する。DL-RSは、(共通RSと呼ばれることもある)セル固有基準信号(CRS)と、UE固有基準信号(UE-RS)と、チャネル状態情報基準信号(CSI-RS)とを含むことがある。図2Aは、(それぞれ、R0、R1、R2、およびR3として示された)アンテナポート0、1、2、および3のためのCRSと、(R5として示された)アンテナポート5のためのUE-RSと、(Rとして示された)アンテナポート15のためのCSI-RSとを示す。図2Bは、フレームのDLサブフレーム内の様々なチャネルの例を示す。物理制御フォーマットインジケータチャネル(PCFICH)はスロット0のシンボル0内にあり、物理ダウンリンク制御チャネル(PDCCH)が1つのシンボルを占有するか、2つのシンボルを占有するか、または3つのシンボルを占有するかを示す制御フォーマットインジケータ(CFI)を搬送する(図2Bは、3つのシンボルを占有するPDCCHを示す)。PDCCHは、1つまたは複数の制御チャネル要素(CCE)内でダウンリンク制御情報(DCI)を搬送し、各CCEは9つのREグループ(REG)を含み、各REGはOFDMシンボルに4つの連続するREを含む。UEは、DCIも搬送するUE固有の拡張PDCCH(ePDCCH)で構成されることがある。ePDCCHは、2つ、4つ、または8つのRBペアを有することがある(図2Bは2つのRBペアを示し、各サブセットは1つのRBペアを含む)。物理ハイブリッド自動再送要求(ARQ)(HARQ)インジケータチャネル(PHICH)もスロット0のシンボル0内にあり、物理アップリンク共有チャネル(PUSCH)に基づいてHARQ肯定応答(ACK)/否定応答(NACK)フィードバックを示すHARQインジケータ(HI)を搬送する。1次同期チャネル(PSCH)は、フレームのサブフレーム0および5内のスロット0のシンボル6内にあり、サブフレームタイミングと物理レイヤ識別情報とを決定するためにUEによって使用される1次同期信号(PSS)を搬送する。2次同期チャネル(SSCH)は、フレームのサブフレーム0および5内のスロット0のシンボル5内にあり、物理レイヤセル識別情報グループ番号
を決定するためにUEによって使用される2次同期信号(SSS)を搬送する。物理レイヤ識別情報および物理レイヤセル識別情報グループ番号に基づいて、UEは物理セル識別子(PCI)を決定することができる。PCIに基づいて、UEは上述のDL-RSの位置を決定することができる。物理ブロードキャストチャネル(PBCH)は、フレームのサブフレーム0のスロット1のシンボル0、1、2、3内にあり、マスター情報ブロック(MIB)を搬送する。MIBは、DLシステム帯域幅内のRBの数と、PHICH構成と、システムフレーム番号(SFN)とを提供する。物理ダウンリンク共有チャネル(PDSCH)は、ユーザデータと、システム情報ブロック(SIB)などのPBCHを介して送信されないブロードキャストシステム情報と、ページングメッセージとを搬送する。
【００４０】
図2Cに示されたように、REのうちのいくつかは、eNBにおけるチャネル推定のための復調基準信号(DM-RS)を搬送する。UEは、サブフレームの最終シンボルにおいてサウンディング基準信号(SRS)をさらに送信することがある。SRSはコム構造を有することがあり、UEは、コムのうちの1つの上でSRSを送信することがある。SRSは、eNBによって、UL上での周波数依存のスケジューリングを可能にするために、チャネル品質推定のために使用され得る。図2Dは、フレームのULサブフレーム内の様々なチャネルの例を示す。物理ランダムアクセスチャネル(PRACH)は、PRACH構成に基づいてフレーム内の1つまたは複数のサブフレーム内にあり得る。PRACHは、サブフレーム内に6つの連続するRBペアを含むことがある。PRACHにより、UEが初期システムアクセスを実行し、UL同期を実現することが可能になる。物理アップリンク制御チャネル(PUCCH)は、ULシステム帯域幅の端に位置することがある。PUCCHは、スケジューリング要求、チャネル品質インジケータ(CQI)、プリコーディング行列インジケータ(PMI)、ランクインジケータ(RI)、およびHARQ ACK/NACKフィードバックなどのアップリンク制御情報(UCI)を搬送する。PUSCHは、データを搬送し、バッファステータス報告(BSR)、電力ヘッドルーム報告(PHR)、および/またはUCIを搬送するために追加で使用されることがある。
【００４１】
図3は、アクセスネットワーク内でeNB310がUE350と通信しているブロック図である。DLでは、EPC160からのIPパケットがコントローラ/プロセッサ375に供給される場合がある。コントローラ/プロセッサ375はレイヤ3およびレイヤ2の機能を実装する。レイヤ3は無線リソース制御(RRC)レイヤを含み、レイヤ2は、パケットデータコンバージェンスプロトコル(PDCP)レイヤと、無線リンク制御(RLC)レイヤと、媒体アクセス制御(MAC)レイヤとを含む。コントローラ/プロセッサ375は、システム情報(たとえば、MIB、SIB)のブロードキャスティング、RRC接続制御(たとえば、RRC接続ページング、RRC接続確立、RRC接続修正、およびRRC接続解放)、無線アクセス技術(RAT)間モビリティ、ならびにUE測定報告のための測定構成に関連するRRCレイヤ機能と、ヘッダ圧縮/解凍、セキュリティ(暗号化、解読、完全性保護、完全性検証)、およびハンドオーバーサポート機能に関連するPDCPレイヤ機能と、上位レイヤパケットデータユニット(PDU)の転送、ARQを介した誤り訂正、RLCサービスデータユニット(SDU)の連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、トランスポートブロック(TB)上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００４２】
送信(TX)プロセッサ316および受信(RX)プロセッサ370は、様々な信号処理機能と関連付けられるレイヤ1機能を実装する。物理(PHY)レイヤを含むレイヤ1は、トランスポートチャネル上の誤り検出と、トランスポートチャネルの前方誤り訂正(FEC)コーディング/復号と、インターリービングと、レートマッチングと、物理チャネル上へのマッピングと、物理チャネルの変調/復調と、MIMOアンテナ処理とを含むことがある。TXプロセッサ316は、様々な変調方式(たとえば、2位相シフトキーイング(BPSK)、4位相シフトキーイング(QPSK)、M位相シフトキーイング(M-PSK)、M直交振幅変調(M-QAM))に基づく信号コンスタレーションへのマッピングを扱う。コーディングされ変調されたシンボルは、次いで、並列ストリームに分割されることがある。各ストリームは、次いで、時間領域OFDMシンボルストリームを搬送する物理チャネルを生成するために、OFDMサブキャリアにマッピングされ、時間領域および/または周波数領域で基準信号(たとえば、パイロット)と多重化され、次いで、逆高速フーリエ変換(IFFT)を使用して一緒に合成されることがある。OFDMストリームは、複数の空間ストリームを生成するために空間的にプリコーディングされる。チャネル推定器374からのチャネル推定値は、コーディングおよび変調方式を判定するために、ならびに空間処理のために使用される場合がある。チャネル推定値は、UE350によって送信される基準信号および/またはチャネル状態フィードバックから導出される場合がある。各空間ストリームは、次いで、別個の送信機318TXを介して異なるアンテナ320に供給される場合がある。各送信機318TXは、送信用にそれぞれの空間ストリームでRFキャリアを変調することができる。
【００４３】
UE350において、各受信機354RXは、受信機のそれぞれのアンテナ352を通して信号を受信する。各受信機354RXは、RFキャリア上に変調された情報を復元し、その情報を受信(RX)プロセッサ356に供給する。TXプロセッサ368およびRXプロセッサ356は、様々な信号処理機能と関連付けられるレイヤ1機能を実装する。RXプロセッサ356は、UE350に宛てられた任意の空間ストリームを復元するために、情報に対して空間処理を実施することができる。複数の空間ストリームがUE350に宛てられた場合、複数の空間ストリームは、RXプロセッサ356によって単一のOFDMシンボルストリームに合成される場合がある。次いで、RXプロセッサ356は、高速フーリエ変換(FFT)を使用して、OFDMシンボルストリームを時間領域から周波数領域にコンバートする。周波数領域信号は、OFDM信号のサブキャリアごとに別々のOFDMシンボルストリームを備える。各サブキャリア上のシンボルおよび基準信号は、eNB310によって送信される、可能性が最も高い信号のコンスタレーションポイントを決定することによって復元および復調される。これらの軟判定は、チャネル推定器358によって算出されたチャネル推定値に基づく場合がある。軟判定は、次いで、物理チャネル上でeNB310によって最初に送信されたデータと制御信号とを復元するために復号およびデインターリーブされる。データおよび制御信号は、次いで、レイヤ3およびレイヤ2の機能を実装するコントローラ/プロセッサ359に提供される。
【００４４】
コントローラ/プロセッサ359は、プログラムコードとデータとを記憶するメモリ360と関連付けられ得る。メモリ360は、コンピュータ可読媒体と呼ばれることがある。ULでは、コントローラ/プロセッサ359は、EPC160からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ359はまた、HARQ動作をサポートするために、ACKおよび/またはNACKプロトコルを使用する誤り検出に関与する。
【００４５】
eNB310によるDL送信に関して説明された機能と同様に、コントローラ/プロセッサ359は、システム情報(たとえば、MIB、SIB)収集、RRC接続、および測定報告に関連するRRCレイヤ機能と、ヘッダ圧縮/解凍およびセキュリティ(暗号化、解読、完全性保護、完全性検証)に関連するPDCPレイヤ機能と、上位レイヤPDUの転送、ARQを介した誤り訂正、RLC SDUの連結、セグメンテーション、およびリアセンブリ、RLCデータPDUの再セグメンテーション、ならびにRLCデータPDUの並べ替えに関連するRLCレイヤ機能と、論理チャネルとトランスポートチャネルとの間のマッピング、TB上へのMAC SDUの多重化、TBからのMAC SDUの逆多重化、スケジューリング情報報告、HARQを介した誤り訂正、優先度処理、および論理チャネル優先度付けに関連するMACレイヤ機能とを提供する。
【００４６】
eNB310によって送信された基準信号またはフィードバックから、チャネル推定器358によって導出されたチャネル推定値は、適切なコーディングおよび変調方式を選択するために、ならびに空間処理を容易にするために、TXプロセッサ368によって使用されてもよい。TXプロセッサ368によって生成された空間ストリームは、別個の送信機354TXを介して異なるアンテナ352に提供されることがある。各送信機354TXは、送信のためにそれぞれの空間ストリームでRFキャリアを変調し得る。
【００４７】
UL送信は、UE350における受信機機能に関して説明された方式と同様の方式で、eNB310において処理される。各受信機318RXは、受信機のそれぞれのアンテナ320を通じて信号を受信する。各受信機318RXは、RFキャリア上に変調された情報を復元し、その情報をRXプロセッサ370に提供する。
【００４８】
コントローラ/プロセッサ375は、プログラムコードとデータとを記憶するメモリ376と関連付けられ得る。メモリ376は、コンピュータ可読媒体と呼ばれることがある。ULでは、コントローラ/プロセッサ375は、UE350からのIPパケットを復元するために、トランスポートチャネルと論理チャネルとの間の逆多重化と、パケットリアセンブリと、解読と、ヘッダ解凍と、制御信号処理とを提供する。コントローラ/プロセッサ375からのIPパケットは、EPC160に供給される場合がある。コントローラ/プロセッサ375はまた、ACKおよび/またはNACKプロトコルを使用してHARQ動作をサポートする誤り検出に関与する。
【００４９】
図4は、チャネル状態情報(CSI)測定および報告を示すタイムライン図400の一例である。タイムライン図400は、時間によるUE410および基地局420を伴う相互関係を示す。
【００５０】
452で、UE410は、基地局420からアップリンク許可を受信する。UE410は、トリガサブフレームにおいてアップリンク許可を受信し得る。アップリンク許可は、UE410がUL送信を実行できることを示し得る。一態様では、アップリンク許可は、アップリンク通信に利用可能なリソースを示し得る。
【００５１】
454で、UE410は、報告のためにCSIを測定するための参照サブフレームを決定し、CSIを報告するための報告サブフレームを決定する。参照サブフレームは、ダウンリンクサブフレームであり得る。たとえば、参照サブフレームは、アップリンク許可が受信されたサブフレーム以降、および報告サブフレームの前に配置されてもよい。たとえば、UEは、アップリンク許可の受信とアップリンク送信との間の遅延に基づいて報告サブフレームを決定することができ、遅延は、アップリンク許可において示される。
【００５２】
456で、UE410は、基地局420からのダウンリンク通信に基づいて、CSIを測定する。UE410は、参照サブフレームにおけるダウンリンク通信の受信状態に基づいて、CSIを測定してもよい。
【００５３】
458で、UE410は、CSIを基地局420に報告する。UE410は、報告サブフレームにおいてCSIを報告してもよい。
【００５４】
CSI測定および報告は、周期的または非周期的であり得る。周期CSI測定を実行するために、UE410は、CSIを周期的に測定することができる。UE410は、(たとえば、DCIを介して)UE410において受信されたCSIトリガによって、非周期CSI測定がトリガされると、非周期CSI測定を実行し得る。
【００５５】
LAAにおける周期CSI測定および報告では、UEは、CSIを測定するためにいくつかの参照サブフレームの中から最新の有効な参照サブフレームを選択することによってCSI測定を実行し、測定されたCSIを基地局に報告し得る。参照サブフレームは、DLサブフレームであり得る。有効な参照サブフレームは、CSIがダウンリンクサブフレームにおける受信状態に基づいて測定され得る、ダウンリンクサブフレームであり得る。最新の有効な参照サブフレームは、CSIが報告される報告サブフレームの前の時間における最後の参照サブフレームであり得る。周期CSI報告のためのCRSおよび/またはCSI基準信号(CSI-RS)に基づくチャネル推定では、最新の有効な参照サブフレームが、CSI報告のための参照サブフレームとして使用される。サブフレームが有効な参照サブフレームであると判定するために、UEは、サブフレームのシンボル0においてCRS送信を検出し、そのサブフレームがフルサブフレームであると判定し得る。UEがサブフレームにおいてCRS送信を検出しない場合、UEは、サブフレームにおいて基地局がCRSをUEに送信しておらず、したがって、サブフレームが有効な参照サブフレームではないと判定する可能性がある。CRSベースのチャネル推定では、チャネル推定のためのサブフレームは、非MBSFNサブフレームである。CSI-RSベースのチャネル推定では、参照サブフレームは、有効なCSI-RS送信を有するものとする。
【００５６】
CRS/CSI-RS送信における電力変動は未知である可能性があるので、UEは、異なる送信にわたるチャネル推定値の平均化を実行しない場合がある。干渉推定では、UEは、基地局が送信しないサブフレームにおいて干渉を推定しない場合がある。周期CSIは、アップリンク許可とアップリンク送信との間のタイミング遅延が固定されている固定参照サブフレームにおいて測定され、許可のトリガは、参照リソースを搬送するサブフレームにおいて受信されるものとする。たとえば、アップリンク許可がサブフレームn-4において送信される場合、参照リソースは、サブフレームn-4にあり、UEは、(たとえば、サブフレームnにおけるCSIを報告するために)サブフレームnにおけるアップリンク送信を実行することができる。
【００５７】
LAAにおける非周期CSI測定では、たとえば、フレーム構造タイプ1(FS1)ベースの送信について、CSIがサブフレーム「n」で送信される場合、参照サブフレームは、サブフレーム「n-4」に固定され得る。言い換えれば、UL許可が受信されたサブフレームは、CSI測定のための有効な参照サブフレームである。フレーム構造タイプ2(FS2)に基づくTDDシステムの場合と同様に、参照サブフレームは、CSIが送信されるべきサブフレームに基づく固定サブフレーム(FS2構成に基づいて決定される)であり得る。
【００５８】
拡張LAA(eLAA)において非周期CSIのための参照サブフレームを決定するとき、CSI測定のための参照サブフレームを構成する際の柔軟性を提供するように、UL許可とUL送信との間のタイミング遅延は、0〜15サブフレームで構成可能であり得る。さらに、CSIが送信されるサブフレームが許可内のスケジュールされたサブフレームの数の関数である場合、複数送信時間間隔(マルチTTI)許可がサポートされてもよい。
【００５９】
eLAAでは、UL許可におけるCSIのトリガとCSIの送信との間に長い遅延があり得るので、参照サブフレームは、基地局からのシグナリングに基づいて更新され得る。更新された参照サブフレームは、チャネル推定と干渉推定とでは異なり得る。第1のシナリオでは、(たとえば、特定のチャネルおよび干渉状態のために)基地局は、UL許可がUEによって受信されたトリガサブフレームに基づいて非周期CSI報告を受信し得る。第1のシナリオでは、UEは、トリガサブフレームにおいてUL許可を受信し、トリガサブフレームを参照サブフレームとして扱うことによって、トリガサブフレームにおいて測定されたCSIを報告し得る。第2のシナリオでは、基地局は、UL許可がUEによって受信されたトリガサブフレームの後に、UL送信に使用された最新の参照サブフレームに基づいて、非周期CSI報告を受信し得る。したがって、第2のシナリオでは、UEは、トリガサブフレームにおいてUL許可を受信し、トリガサブフレームの後に最新の参照サブフレームを決定し、最新の参照サブフレームにおいて測定されたCSIを報告し得る。さらに、フレーム構造タイプ3(FS3)では、DL-UL構成は、動的DL-UL構成であるので、基地局によるサブフレームにおける非周期CSIのトリガは有利であり得る。第1のシナリオまたは第2のシナリオに限定されるのではなく、CSIを報告するための参照サブフレームとして、トリガサブフレームと最新の参照サブフレームとの間で選択する柔軟性が望まれる。したがって、基地局がトリガサブフレーム内の参照リソースと最新の参照サブフレーム内の参照リソースとの間で選択するための柔軟性を提供する手法が望まれる。
【００６０】
一態様では、基地局は、半静的RRCシグナリングを介して、および/またはDCI内の動的指示を介して、非周期CSI報告に使用されるべき参照サブフレームのタイプの指示によりUEを構成し得る。UEが非周期CSI報告のための参照サブフレームのタイプの指示を有するRRC信号またはDCIを受信すると、UEは、参照サブフレームのタイプに基づいて、CSIが報告されるための参照サブフレームを決定し得る。
【００６１】
一態様では、第1のタイプの参照サブフレームに対応する第1のケースでは、非周期CSI報告のための参照サブフレームはトリガサブフレームである。したがって、第1のケースでは、基地局が第1のタイプの参照サブフレームをUEに示す場合、UEは、CSIを測定するためにトリガサブフレーム内の参照リソースを使用する。第2のタイプの参照サブフレームに対応する第2のケースでは、非周期CSI報告のための参照サブフレームは、CSIが送信される報告サブフレームの前に位置するサブフレームである。たとえば、第2のケースでは、非周期CSI報告のための参照サブフレームは、報告サブフレームの1つまたは複数のサブフレーム前に位置するサブフレームである。したがって、第2のケースでは、基地局が第2のタイプの参照サブフレームをUEに示す場合、UEは、報告サブフレームに基づいて、参照サブフレームを決定する。一例では、UEは、CSI測定のための参照サブフレームが、報告サブフレームの少なくともあらかじめ定義された数だけ前のサブフレームになるように決定し得る。たとえば、第2のケースでは、非周期CSI報告のための参照サブフレームは、トリガサブフレームの後に配置されてもよく、したがって、CSIは、トリガサブフレームの後、および報告サブフレームの前で測定されてもよい。
【００６２】
一態様では、UEがトリガサブフレームにおいてアップリンク許可を受信すると、アップリンク許可は、CSIが送信される報告サブフレームに関する情報を含み得る。たとえば、許可は、アップリンク許可と、CSIが送信される報告サブフレームとの間の遅延に関する情報を含み得る。したがって、そのような態様では、UEがトリガサブフレームにおいてアップリンク許可を受信すると、UEは、アップリンク許可に含まれる遅延情報に基づいて報告サブフレームを決定し得る。
【００６３】
図5Aおよび図5Bは、本開示の一態様による、参照サブフレームにおけるCSI測定、および報告サブフレームにおけるCSI報告を示す例示的な図である。図5Aは、本開示の一態様による、参照サブフレームがトリガサブフレームである第1のケースを示す例示的な図500である。図5Aの例示的な図500では、UEは、サブフレーム(n-9)においてUL許可を受信する。図5Aにおいて、UEは、(たとえば、RRC信号またはDCIを介して)第1のタイプの参照サブフレームを使用する旨の指示を基地局から受信したので、CSI測定のための参照サブフレームは、サブフレームn-9であるトリガサブフレームであると判定する。したがって、UEは、サブフレームn-9においてCSIを測定し得る。その後、UEは、サブフレームn-9において測定されたCSIを報告サブフレーム(サブフレームn)において報告する。図5Bは、本開示の一態様による、参照サブフレームが報告サブフレームに基づいて決定される第2のケースを示す例示的な図550である。図5Bの例示的な図550では、UEは、サブフレームn-9においてUL許可を受信する。UEは、(たとえば、RRC信号またはDCIを介して)第2のタイプの参照サブフレームを使用する旨の指示を基地局から受信したので、CSI測定のための参照サブフレームは、報告サブフレーム(サブフレームn)の少なくとも4サブフレーム前であり得ると判定する。たとえば、UEは、報告サブフレームの少なくとも4サブフレーム前、およびトリガサブフレームの後である、CSI測定のための任意の有効な参照サブフレームを選択し得る。したがって、図5Bの例では、UEは、CSI測定のための参照サブフレームとして、有効な参照サブフレームn-4、n-5、n-6、n-7、およびn-8のうちのいずれか1つを選択し得る。上記で説明したように、有効な参照サブフレームは、CSIがダウンリンクサブフレームにおける受信状態に基づいて測定され得る、ダウンリンクサブフレームであり得る。一態様では、UEは、CSI測定のための参照サブフレームとして、サブフレームn-4である最新の有効な参照サブフレームを選択してもよい。したがって、図5Bに示すように、UEは、サブフレームn-4においてCSIを測定し得る。一態様では、UEが、サブフレームのシンボル0においてCRS送信を検出し、そのサブフレームがフルサブフレームであると判定することができる場合、UEは、サブフレームが有効な参照サブフレームであると判定し得る。サブフレームn-4においてCSIを測定した後、UEは、サブフレームn-4において測定されたCSIを報告サブフレーム(サブフレームn)において報告する。
【００６４】
別の態様では、UEは、UEがUL送信を実行することができることを示すUL許可を受信するが、UL許可は、UL送信が実行される報告サブフレームに関する情報を含まないことがある。したがって、UL許可を受信した後しばらくして、UEは、UL送信が実行され得る1つまたは複数の報告サブフレームを示すトリガ信号を受信し得る。たとえば、トリガ信号は、トリガ信号とCSIが送信される報告サブフレームとの間の遅延を示し得る。図6Aおよび図6Bは、本開示の別の態様による、参照サブフレームにおけるCSI測定、および報告サブフレームにおけるCSI報告を示す例示的な図である。図6Aは、本開示の別の態様による、参照サブフレームがトリガサブフレームである第1のケースを示す例示的な図600である。図6Aの例示的な図600では、UEは、サブフレームpにおいてUL許可を受信する。UEは、第1のタイプの参照サブフレームを使用する旨の指示を基地局から受信したので、CSI測定のための参照サブフレームは、サブフレームpであるトリガサブフレームであると判定する。したがって、UEは、サブフレームpにおいてCSIを測定し得る。UL許可を受信した後しばらくして、UEは、CSI測定が送信されるべき報告サブフレームがサブフレームnであることを示す(たとえば、トリガ信号から6サブフレームの遅延を示す)トリガ信号を受信する(たとえば、サブフレームn-6において)。UEは、サブフレームpにおいて測定されたCSIを報告サブフレーム(サブフレームn)において報告する。図6Bは、本開示の別の態様による、参照サブフレームが報告サブフレームに基づいて決定される第2のケースを示す例示的な図650である。図6Bの例示的な図650では、UEは、サブフレームpにおいてUL許可を受信する。UEは、第2のタイプの参照サブフレームを使用する旨の指示を基地局から受信したので、CSI測定のための参照サブフレームは、報告サブフレームの少なくとも4サブフレーム前であり得ると判定する。たとえば、UEは、報告サブフレームの少なくとも4サブフレーム前、およびトリガサブフレームの後である、CSI測定のための任意の有効な参照サブフレームを選択し得る。UL許可を受信した後しばらくして、UEは、CSI測定が送信されるべき報告サブフレームがサブフレームnであることを示す(たとえば、トリガ信号から6サブフレームの遅延を示す)トリガ信号を受信する(たとえば、サブフレームn-6において)。その後、CSI測定のための参照サブフレームは、報告サブフレームの少なくとも4サブフレーム前であり得るので、UEは、CSI測定のための参照サブフレームとして、有効な参照サブフレームn-4およびn-5のうちのいずれか1つを選択し得る。UEは、CSI測定のための参照サブフレームとして、サブフレームn-4である最新の有効な参照サブフレームを選択してもよい。したがって、図6Bに示すように、UEは、サブフレームn-4においてCSIを測定し得る。UEは、サブフレームn-4において測定されたCSIを報告サブフレーム(サブフレームn)において報告する。
【００６５】
一態様では、CSIが送信されるサブフレームに基づいて非周期CSIをトリガするマルチTTI許可では、UEは、CSIが報告される報告サブフレームに基づいて、CSI測定のための参照サブフレームを決定し得る。マルチTTI許可は、DCIにおいて動的に示され得る。マルチTTI許可のうちの少なくとも1つは、報告サブフレームを示し得る。図7は、マルチTTI許可に基づくCSI測定および報告を示す例示的な図700である。UEは、サブフレームn-7、n-8、n-9においてマルチTTI許可を受信する。UEは、マルチTTI許可を受信したので、CSI測定のための参照サブフレームが報告サブフレームに基づき、報告サブフレーム(サブフレームn)の少なくとも4サブフレーム前であり得ると決定する。したがって、UEは、CSI測定のための参照サブフレームとして、有効な参照サブフレームn-4、n-5、およびn-6のうちのいずれか1つを選択し得る。UEは、CSI測定のための参照サブフレームとして、サブフレームn-4である最新の有効な参照サブフレームを選択してもよい。したがって、図7に示すように、UEは、サブフレームn-4においてCSIを測定し得る。UEは、サブフレームn-4において測定されたCSIを報告サブフレーム(サブフレームn)において報告する。
【００６６】
一態様では、周期CSI測定/報告と非周期CSI測定/報告との間の衝突も考慮され得る。UEは、無認可キャリア上で認可キャリアのHARQ ACKまたはNACKを送信するように構成されていない場合がある。したがって、認可キャリア上のPUCCHおよび無認可キャリア上のPUSCHの同時送信の構成は、eLAAのためにサポートされ得る。このシナリオでは、UEは、認可キャリア上で周期CSIを送信し、無認可キャリア上で非周期CSIを送信し得る。たとえば、UEは、(たとえば、認可スペクトルにおける1次セル上など)PUCCH上で周期CSIおよび/またはHARQ ACK/NACKを送信し、(無認可スペクトルにおける2次セル上など)PUSCH上で非周期CSIおよび/またはHARQ ACK/NACKを送信し得る。PUCCHとPUSCHの両方が認可キャリア上にあると仮定すると、PUCCHとPUSCHの同時送信は、認可キャリア上では望ましくない可能性があるので、PUCCHを介して搬送されることになっていた周期CSIは、UCIピギーバックを使用して認可キャリア上のPUSCHを介して送信され、周期CSIを有するPUCCHはドロップされてもよい。
【００６７】
しかしながら、非周期CSIが無認可キャリア上のPUSCHを介して送信されることになっている場合、認可キャリア上のHARQ ACK/NACKは、高い優先順位を有している可能性があり、無認可キャリア上で送信されないことがある。言い換えれば、認可キャリア上のHARQ ACK/NACKは、無認可キャリア上で搬送されない場合があるが、CSIは、依然として無認可キャリア上で搬送され得る。様々な態様がそのようなシナリオに対処し得る。
【００６８】
一態様では、UEがキャリアアグリゲーション(CA)のために構成されているときのeLAAにおけるHARQ ACK/NACK報告では、HARQ ACK/NACKセルグループは、PUCCHを搬送する(たとえば、1次セルにおける)少なくとも1つの認可キャリア、(たとえば、2次セルにおける)1つまたは複数の無認可キャリアにより定義され得る。HARQ ACK/NACKセルグループ内のすべてのサービングセルのHARQ ACK/NACKは、PUCCH上またはPUSCH上のいずれかで認可キャリア上で報告され得る。そのような構成では、認可キャリアのHARQ ACK/NACKは、無認可キャリア上で送信されない可能性がある。PUSCHが無認可キャリア上でスケジュールされている場合、UEは、認可キャリア上でPUCCHおよび/またはPUSCHと、無認可キャリア上でPUSCHとを同時に送信し得る。
【００６９】
一態様では、eLAAにおけるHARQ ACK/NACK報告および/または周期CSI報告では、UEは、HARQ ACK/NACKおよび/または周期CSIがHARQ ACK/NACKセルグループによって提供される認可キャリア上でのみ報告される、HARQ ACK/NACKセルグループを定義し得る。HARQ ACK/NACKおよび/または周期CSIは、PUCCH上またはPUSCH上のいずれかで、認可キャリア上で報告され得る。したがって、HARQ ACK/NACKセルグループ内のサービングセルについてのHARQ ACK/NACKおよび/または周期CSI報告は、認可キャリア上で搬送され、無認可キャリア上では搬送されない可能性があり、これは、無認可キャリア上でPUCCHを許可しない可能性のあるeLAAに整合する。
【００７０】
一態様では、eLAAにおける非周期CSI報告では、UEは、(たとえば、1次セルにおける)認可キャリアのためのセルグループ、および(たとえば、2次セルにおける)無認可キャリアのためのセルグループを定義し、したがって、UEが2つの異なるセルグループ(たとえば、1次セルおよび2次セル)に接続することを可能にするデュアル接続性フレームワークを使用し得る。特に、無認可キャリア上の非周期CSI報告は、無認可キャリア内で自己完結し、認可キャリア上の周期および非周期CSI報告とは無関係であり得る。したがって、UEが認可キャリアのセルグループ内のキャリアを介してトリガ信号を受信する場合、認可キャリア上の非周期CSI報告は、認可キャリア上で(たとえば、UL許可を介して)トリガされ、無認可キャリア上でトリガされない可能性がある。一方、UEが無認可キャリアのセルグループ内のキャリアを介してトリガ信号を受信する場合、無認可キャリア上の非周期CSI報告は、UEにおいて無認可キャリア上で(たとえば、UL許可を介して)トリガされ、認可キャリア上でトリガできない。UEは、認可キャリア上で周期CSIを、および無認可キャリア上で非周期CSIを同時に送信し得る。あるいは、UEは、同じ無認可キャリア上で周期CSIおよび非周期CSIを同時に送信してもよい。一態様では、無認可キャリアを含む1つの非周期CSIセルグループが、CAのために構成されたUEに対して定義され得る。
【００７１】
別の態様では、CA構成におけるCAフレームワークの下で無認可キャリアからの非周期CSIのトリガが防止され得る。CSI計算の数が、いくつかのCSI測定/報告プロセスを同時に処理するためのUE能力制約によって課される制限を超える場合、UEは、無認可キャリア上の非周期CSIをドロップする場合がある。
【００７２】
CAのために構成されたUEは、最大送信電力制約を有する可能性があり、したがって、UEは、最大送信電力制約まで、構成されたキャリアに送信電力を割り振るために、電力スケーリング手順を使用する必要があり得る。UEは、上記で説明したCSI報告手順を考慮して構成されたキャリアに送信電力を割り振ることができる。UEは、(たとえば、PUCCHまたはPUSCHなどのアップリンクチャネルを送信するために)送信電力をキャリアに割り振るとき、異なるキャリアおよび/または異なるチャネルについて異なる優先順位を考慮してもよい。たとえば、HARQ ACK/NACKおよび/またはCSIを搬送するアップリンクチャネルは、HARQ ACK/NACKおよび/またはCSIを搬送していないチャネルよりも高い優先順位を有し得る。さらに、異なるタイプの送信(たとえば、認可キャリア送信対無認可キャリア送信)に対して異なる優先順位が割り当てられてもよい。
【００７３】
一態様では、UEは、UCIを有するアップリンクチャネル(たとえば、PUCCHまたはPUSCH)を搬送する認可キャリアを他のキャリアよりも優先させるようにしてもよく、したがって、まず、UEの送信電力を、UCIを有するアップリンクチャネル(たとえば、PUCCHまたはPUCCH)を搬送する認可キャリアに割り振る。UCIを有するアップリンクチャネルを搬送する認可キャリアにUEの送信電力を割り振った後、UEに残りの送信電力がある場合、非周期CSI送信による無認可キャリアが次に優先されるようにしてもよく、したがって、UEは、非周期CSI送信による無認可キャリアに、残りの送信電力、または残りの電力の一部を割り振る。UCIを有するアップリンクチャネルを搬送する認可キャリア、および非周期CSI送信による無認可キャリアにUEの送信電力を割り振った後、UEが依然として残りの送信電力を有している場合、残りの送信電力または残りの送信電力の一部は、キャリアに非ゼロの電力が割り当てられている場合、残りの認可および無認可キャリアを含むキャリアのサブセット間で等しく共有され得る。特に、UEは、認可キャリア上の通信および無認可キャリア上の通信に、残りの電力の残りまで均等にまたは不均等に割り振り得る。各送信電力割振りは、(たとえば、サービング基地局がUL通信を正常に受信することを可能にするために)UEがUL通信を対応するサービング基地局に正常に送信するための最小送信電力の割振りであり得る。
【００７４】
図8は、本開示の一態様による、ワイヤレス通信の方法のフローチャート800である。方法は、UE(たとえば、UE410、装置1202/1202')によって実行されてもよい。フローチャート800は、参照サブフレームにおいてCSIを測定するために参照サブフレームを選択し、測定されたCSIを報告するための手法を説明する。フローチャート800は、測定されたCSIが送信される報告サブフレームを決定するための手法をさらに説明する。
【００７５】
802で、UEは、アップリンク通信についての許可を受信する。たとえば、上記で説明したように、UEは、トリガサブフレームにおいて基地局からアップリンク許可を受信し得る。たとえば、上記で説明したように、トリガサブフレームは、ダウンリンクサブフレームであり得る。たとえば、図5Aおよび図5Bに示すように、UEは、サブフレームn-9においてUL許可を受信し得る。たとえば、上記で説明したように、アップリンク許可は、UEがUL送信を実行することができることを示し得る。
【００７６】
804で、UEは、許可に基づいて報告サブフレームを決定する。たとえば、上記で説明したように、UEは、アップリンク許可に基づいて、CSIが送信されるべき報告サブフレームを選択し得る。たとえば、上記で説明したように、アップリンク許可は、アップリンク通信のための利用可能なリソース(たとえば、利用可能なULサブフレーム)を示し、したがって、UEは、アップリンク許可に示される利用可能なリソースに基づいて報告サブフレームを選択し得る。
【００７７】
一態様では、許可は、許可の受信とアップリンク送信との間の遅延を示し、報告サブフレームは、その遅延に基づいて決定される。たとえば、上記で説明したように、一態様では、アップリンク許可は、アップリンク許可と、CSIが送信される報告サブフレームとの間の遅延に関する情報を含み得る。したがって、上記で説明したように、UEがアップリンク許可を受信すると、UEは、アップリンク許可に含まれる遅延情報に基づいて報告サブフレームを決定し得る。
【００７８】
別の態様では、803で、UEは、報告サブフレームの位置を示すトリガ信号を受信し、UEは、許可およびトリガ信号に基づいて報告サブフレームを決定し得る。たとえば、上記で説明したように、一態様では、UL許可を受信した後しばらくして、UEは、UL送信が実行され得る1つまたは複数の報告サブフレームを示すトリガ信号を受信し得る。たとえば、上記で説明したように、トリガ信号は、トリガ信号と報告サブフレームとの間の遅延を示し得る。たとえば、図6Aおよび図6Bに示すように、サブフレームpにおいてアップリンク許可を受信した後、UEは、サブフレームn-6において、CSI測定が送信されるべき報告サブフレームはサブフレームnであることを示すトリガ信号を受信し得る。
【００７９】
806で、UEは、参照サブフレームとして、許可が受信されたトリガサブフレームを選択するか、報告サブフレームの前のサブフレームを選択するかを決定する。たとえば、上記で説明したように、基地局は、第1のタイプの参照サブフレームまたは第2のタイプの参照フレームのいずれかをUEに示し得る。たとえば、上記で説明したように、基地局が第1のタイプの参照サブフレームをUEに示す場合、UEは、CSIを測定するために、トリガサブフレーム内の参照リソースを使用する(たとえば、図5Aに示されるように)。たとえば、上記で説明したように、基地局が第2のタイプの参照サブフレームをUEに示す場合、UEは、報告サブフレームに基づいて参照サブフレームを決定し、この場合、参照サブフレームは、報告サブフレームの前に位置する(たとえば、図5Bに示されるように)。
【００８０】
一態様では、UEは、RRC信号またはDCI内の動的指示に基づいて、トリガサブフレームを選択するか、報告サブフレームの前のサブフレームを選択するかを決定し得る。たとえば、上記で説明したように、基地局は、半静的RRCシグナリングを介して、および/またはDCI内の動的指示を介して、非周期CSI報告に使用されるべき参照サブフレームのタイプの指示によりUEを構成し得る。
【００８１】
808で、UEは、参照サブフレームにおいてCSIを測定し得る。たとえば、上記で説明したように、UEは、参照サブフレームにおいてCSIを測定する。たとえば、図5Aに示すように、UEは、参照サブフレーム(サブフレームn-9)においてCSIを測定し得る。たとえば、図5Bに示すように、UEは、参照サブフレーム(サブフレームn-4)においてCSIを測定し得る。
【００８２】
810で、UEは、参照サブフレームにおいて測定されたCSIを、報告サブフレームで送信する。たとえば、上記で説明したように、UEは、報告サブフレームにおいてCSI測定を送信する。たとえば、図5Aおよび図5Bに示すように、UEは、報告サブフレーム(サブフレームn)において、参照サブフレームにおいて測定されたCSIを送信する。
【００８３】
一態様では、報告サブフレームの前のサブフレームは、トリガサブフレームの後に配置され得る。たとえば、上記で説明したように、参照サブフレームが報告サブフレームの前のサブフレームに配置される第2のケースでは、非周期CSI報告のための参照サブフレームは、トリガサブフレームの後に配置され得る。たとえば、図5Bに示すように、CSI測定のための参照サブフレームは、トリガサブフレーム(サブフレームn-9)の後、および報告サブフレーム(サブフレームn)の前に位置するサブフレームn-4である。そのような態様では、報告サブフレームの前のサブフレームは、報告サブフレームの少なくともあらかじめ定義された数だけ前のサブフレームに配置され得る。たとえば、上記で説明したように、UEは、CSI測定のための参照サブフレームが、報告サブフレームの少なくともあらかじめ定義された数だけ前のサブフレームとなるように決定し得る。たとえば、図5Bに示すように、UEは、CSI測定のための参照サブフレームが報告サブフレーム(サブフレームn)の少なくとも4サブフレーム前であり得ることを決定し、したがって、サブフレームn-4を参照サブフレームとして選択し得る。
【００８４】
一態様では、許可は、DCIにおいて動的に示される1つまたは複数のマルチTTI許可を含み得る。たとえば、上記で説明したように、マルチTTI許可は、DCIにおいて動的に示されてもよく、マルチTTI許可のうちの少なくとも1つは、報告サブフレームを示してもよい。そのような態様では、報告サブフレームは、1つまたは複数のマルチTTI許可によって示されるサブフレームのうちの1つであり得る。たとえば、上記で説明したように、マルチTTI許可のうちの少なくとも1つは、CSIが報告される報告サブフレームを示す許可を含み得る。そのような態様では、報告サブフレームの前のサブフレームは、1つまたは複数のマルチTTI許可に基づいて参照サブフレームとして選択され得る。たとえば、図7を参照して上記で説明したように、UEは、マルチTTI許可を受信したので、CSI測定のための参照サブフレームが報告サブフレームに基づき、報告サブフレーム(サブフレームn)の少なくとも4サブフレーム前であり得ると決定する。
【００８５】
図9は、本開示の一態様による、ワイヤレス通信の方法のフローチャート900である。方法は、UE(たとえば、UE410、装置1202/1202')によって実行されてもよい。フローチャート900は、無認可キャリア上でPUCCHを許可しない可能性があるeLAAに整合するように、認可キャリアを利用してHARQ ACK/NACKまたは周期CSIを報告するための手法を説明する。たとえば、フローチャート900は、HARQ ACK/NACKセルグループ内のサービングセルについてのHARQ ACK/NACKおよび/または周期CSI報告が、認可キャリア上で報告され得るように、PUCCHを搬送する少なくとも1つの認可キャリアと、1つまたは複数の無認可キャリアとを有するHARQ ACK/NACKセルグループを定義するための手法を説明する。
【００８６】
902で、UEは、セルグループを決定し、セルグループは、アップリンク制御チャネルで構成された少なくとも1つの認可キャリアと、1つまたは複数の無認可キャリアとを含む。たとえば、上記で説明したように、HARQ ACK/NACKセルグループは、PUCCHを搬送する(たとえば、1次セルにおける)少なくとも1つの認可キャリア、(たとえば、2次セルにおける)1つまたは複数の無認可キャリアにより定義され得る。
【００８７】
904で、UEは、セルグループによって提供された少なくとも1つの認可キャリア上のセルグループについてのHARQ ACK/NACKまたは周期CSIのうちの少なくとも1つを報告する。たとえば、上記で説明したように、UEは、HARQ ACK/NACKおよび/または周期CSIがHARQ ACK/NACKセルグループによって提供される認可キャリア上でのみ報告される、HARQ ACK/NACKセルグループを定義し得る。
【００８８】
一態様では、HARQ ACK/NACKまたは周期CSIのうちの少なくとも1つは、アップリンク制御チャネルまたはアップリンク共有チャネルを介して報告される。たとえば、上記で説明したように、HARQ ACK/NACKおよび/または周期CSIは、PUCCH上またはPUSCH上のいずれかで、認可キャリア上で報告され得る。
【００８９】
図10は、本開示の一態様による、ワイヤレス通信の方法のフローチャート1000である。方法は、UE(たとえば、UE410、装置1202/1202')によって実行されてもよい。フローチャート1000は、(たとえば、1次セルにおける)認可キャリアのためのセルグループ、および(たとえば、2次セルにおける)無認可キャリアのためのセルグループを定義するための手法を説明する。フローチャート1000は、UEが認可キャリアのためのセルグループ内のキャリアを介してトリガ信号を受信した場合に、無認可キャリアではなく認可キャリア上で非周期CSI報告を実行するための手法を説明する。フローチャート1000は、UEが無認可キャリアのためのセルグループ内のキャリアを介してトリガ信号を受信した場合に、認可キャリアではなく無認可キャリア上で非周期CSI報告を実行するための手法を説明する。
【００９０】
1002で、UEは、1つまたは複数の認可キャリアを含む第1のセルグループを決定する。たとえば、上記で説明したように、UEは、認可キャリアのための第1のセルグループを定義し得る。
【００９１】
1004で、UEは、1つまたは複数の無認可キャリアを含む第2のセルグループを決定する。たとえば、上記で説明したように、UEは、無認可キャリアのための第2のセルグループを定義し得る。たとえば、上記で説明したように、eLAAにおける非周期CSI報告について、UEは、(たとえば、1次セルにおける)認可キャリアのための第1のセルグループ、および(たとえば、2次セルにおける)無認可キャリアのためのセルグループを定義し得る。したがって、UEは、デュアル接続性フレームワークを利用し得る。
【００９２】
1006で、UEは、CSIトリガを受信する。たとえば、上記で説明したように、UEにおける非周期CSI報告は、(たとえば、基地局からのUL許可を介して)トリガされてもよい。たとえば、上記で説明したように、CSIトリガは、認可キャリア上または無認可キャリア上で受信され得る。
【００９３】
1008で、UEは、CSIトリガが第1のセルグループ内のキャリア上で受信されたか、第2のセルグループ内のキャリア上で受信されたかを判定する。たとえば、上記で説明したように、UEは、認可キャリアのためのセルグループ内のキャリアを介してトリガ信号を受信するか、無認可キャリアのためのセルグループ内のキャリアを介してトリガ信号を受信するかを決定し得る。
【００９４】
CSIトリガが第1のセルグループ内の第1のキャリア上で受信された場合、1010で、UEは、第1のセルグループ内の認可キャリア上でCSIを送信し、1012で、第2のセルグループ内の無認可キャリア上でCSIを送信することを控え得る。一態様では、CSIトリガが第1のセルグループ内の第1のキャリア上で受信された場合、UEは、第1のセルグループ内の認可キャリア上でのみCSIを送信し得る。たとえば、上記で説明したように、UEが認可キャリアのセルグループ内のキャリアを介してトリガ信号を受信する場合、認可キャリア上の非周期CSI報告は、認可キャリア上で(たとえば、UL許可を介して)トリガされ得、無認可キャリア上でトリガされない可能性がある。
【００９５】
CSIトリガが第2のセルグループ内の第2のキャリア上で受信された場合、1014で、UEは、第2のセルグループ内の無認可キャリア上でCSIを送信し、1016で、第1のセルグループ内の認可キャリア上でCSIを送信することを控え得る。一態様では、CSIトリガが第2のセルグループ内の第2のキャリア上で受信された場合、UEは、第2のセルグループ内の無認可キャリア上でのみCSIを送信し得る。たとえば、上記で説明したように、UEが無認可キャリアのセルグループ内のキャリアを介してトリガ信号を受信する場合、無認可キャリア上の非周期CSI報告は、無認可キャリア上で(たとえば、UL許可を介して)トリガされ、認可キャリア上でトリガできない。
【００９６】
一態様では、第2のセルグループ内の無認可キャリア上で非周期CSIを報告するための第2のセルグループは、単一のセルグループでもよい。たとえば、上記で説明したように、無認可キャリアを含む1つの非周期CSIセルグループが、CAのために構成されたUEに対して定義され得る。
【００９７】
図11は、本開示の一態様による、ワイヤレス通信の方法のフローチャート1100である。方法は、UE(たとえば、UE410、装置1202/1202')によって実行されてもよい。CAのために構成されたUEは、最大送信電力制約を有する可能性がある。したがって、フローチャート1100は、(たとえば、異なるキャリアおよび/または異なるチャネルについての異なる優先順位に基づいて)最大送信電力制約まで、送信電力を構成されたキャリアに割り振るための手法を説明する。
【００９８】
1102で、UEは、認可キャリア上のアップリンクチャネルを介した認可サービングセルへのアップリンク制御情報の送信に総送信電力の第1の部分を割り振る。一態様では、アップリンクチャネルは、PUCCHまたはPUSCHのうちの少なくとも1つを含む。たとえば、上記で説明したように、UEは、UCIを有するアップリンクチャネル(たとえば、PUCCHまたはPUSCH)を搬送する認可キャリアを他のキャリアよりも優先させるようにしてもよく、したがって、まず、UEの送信電力を、UCIを有するアップリンクチャネル(たとえば、PUCCHまたはPUCCH)を搬送する認可キャリアに割り振る。
【００９９】
1104で、UEは、無認可キャリア上の非周期CSIの無認可セルへの送信に総送信電力の第2の部分を割り振り、第2の部分は、第1の部分をアップリンクチャネルに割り振った後の総送信電力の残りの部分以下である。たとえば、上記で説明したように、UCIを有するアップリンクチャネルを搬送する認可キャリアにUEの送信電力を割り振った後、UEに残りの送信電力がある場合、非周期CSI送信による無認可キャリアが次に優先されるようにしてもよく、したがって、UEは、非周期CSI送信による無認可キャリアに、残りの送信電力、または残りの電力の一部を割り振る。
【０１００】
1106で、UEは、総送信電力の第3の部分を、認可キャリアを介した第1の通信に、および無認可キャリアを介した第2の通信に割り振り、第3の部分は、第1の部分および第2の部分の割振り後の総送信電力の残りの部分以下である。たとえば、上記で説明したように、UCIを有するアップリンクチャネルを搬送する認可キャリア、および非周期CSI送信による無認可キャリアにUEの送信電力を割り振った後、UEが依然として残りの送信電力を有している場合、最高で残りの送信電力は、キャリアに非ゼロの電力が割り当てられている場合、残りの認可および無認可キャリアを含むキャリアのサブセット間で等しく共有され得る。
【０１０１】
一態様では、第3の部分は、認可キャリアを介した第1の通信、および無認可キャリアを介した第2の通信に等しく割り振られる。たとえば、上記で説明したように、UEは、認可キャリア上の通信および無認可キャリア上の通信に、残りの電力の残りを均等にまたは不均等に割り振り得る。
【０１０２】
図12は、例示的な装置1202内の様々な手段/構成要素間のデータフローを示す概念データフロー図1200である。この装置はUEであり得る。装置は、受信構成要素1204と、送信構成要素1206と、サブフレーム決定構成要素1208と、CSI/フィードバック管理構成要素1210と、セルグループ管理構成要素1212と、送信電力管理構成要素1214とを含む。
【０１０３】
本開示の一態様によれば、1252および1254で、サブフレーム決定構成要素1208は、受信構成要素1204を介して(たとえば、基地局1230から)アップリンク通信のための許可を受信する。サブフレーム決定構成要素1208は、許可に基づいて報告サブフレームを決定する。一態様では、許可は、許可の受信とアップリンク送信との間の遅延を示し、報告サブフレームは、その遅延に基づいて決定され得る。別の態様では、サブフレーム決定構成要素1208は、1252および1254で、受信構成要素1204を介して、報告サブフレームの位置を示すトリガ信号を受信し得、ここで、サブフレーム決定構成要素1208は、許可およびトリガ信号に基づいて報告サブフレームを決定し得る。
【０１０４】
サブフレーム決定構成要素1208は、参照サブフレームとして、許可が受信されたトリガサブフレームを選択するか、報告サブフレームの前のサブフレームを選択するかを決定する。一態様では、サブフレーム決定構成要素1208は、RRC信号またはDCI内の動的指示に基づいて、トリガサブフレームを選択するか、報告サブフレームの前のサブフレームを選択するかを決定し得る。サブフレーム決定構成要素1208は、1256で、参照サブフレームに関する情報をCSI/フィードバック管理構成要素1210に転送してもよい。CSI/フィードバック管理構成要素1210は、参照サブフレームにおいてCSIを測定し得る。CSI/フィードバック管理構成要素1210は、1258および1260で、報告サブフレームにおいて、送信構成要素1206を介して、参照サブフレームにおいて測定されたCSI/フィードバックを(たとえば、基地局1230に)送信する。
【０１０５】
一態様では、報告サブフレームの前のサブフレームは、トリガサブフレームの後に配置される。そのような態様では、報告サブフレームの前のサブフレームは、報告サブフレームの少なくともあらかじめ定義された数だけ前のサブフレームに配置される。
【０１０６】
一態様では、許可は、DCIにおいて動的に示される1つまたは複数のマルチTTI許可を含む。そのような態様では、報告サブフレームは、1つまたは複数のマルチTTI許可によって示されるサブフレームのうちの1つである。そのような態様では、報告サブフレームの前のサブフレームは、1つまたは複数のマルチTTI許可に基づいて参照サブフレームとして選択される。
【０１０７】
本開示の別の態様によれば、セルグループ管理構成要素1212は、セルグループを決定し、セルグループは、(たとえば、1252および1262で、基地局1230から受信された情報に基づいて)アップリンク制御チャネルで構成された少なくとも1つの認可キャリアと1つまたは複数の無認可キャリアとを含む。セルグループ管理構成要素1212は、1264で、セルグループに関する情報をCSI/フィードバック管理構成要素1210に転送してもよい。CSI/フィードバック管理構成要素1210は、1258および1260で、送信構成要素1206を介して、セルグループによって(たとえば、基地局1230に)提供される少なくとも1つの認可キャリア上のセルグループについてのHARQ ACK/NACKまたは周期CSIの少なくとも1つを報告する。一態様では、HARQ ACK/NACKまたは周期CSIのうちの少なくとも1つは、アップリンク制御チャネルまたはアップリンク共有チャネルを介して報告される。
【０１０８】
本開示の別の態様によれば、セルグループ管理構成要素1212は、1つまたは複数の認可キャリアを含む第1のセルグループを決定する。セルグループ管理構成要素1212は、1つまたは複数の無認可キャリアを含む第2のセルグループを決定する。セルグループ管理構成要素1212は、1264で、第1のセルグループおよびセルグループに関する情報をCSI/フィードバック管理構成要素1210に転送してもよい。CSI/フィードバック管理構成要素1210は、1252および1266で、受信構成要素1204を介して(たとえば、基地局1230から)CSIトリガを受信する。CSI/フィードバック管理構成要素1210は、CSIトリガが第1のセルグループ内のキャリア上で受信されたか、第2のセルグループ内のキャリア上で受信されたかを判定する。CSIトリガが第1のセルグループ内の第1のキャリア上で受信された場合、CSI/フィードバック管理構成要素1210は、1258および1260で、送信構成要素1206を介して、第1のセルグループ内の認可キャリア上でCSIを(たとえば基地局1230に)送信し、第2のセルグループ内の無認可キャリア上でCSIを送信することを控え得る。一態様では、CSIトリガが第1のセルグループ内の第1のキャリア上で受信された場合、CSI/フィードバック管理構成要素1210は、1258および1260で、送信構成要素1206を介して、第1のセルグループ内の認可キャリア上でのみCSIを送信し得る。CSIトリガが第2のセルグループ内の第2のキャリア上で受信された場合、CSI/フィードバック管理構成要素1210は、1258および1260で、送信構成要素1206を介して、第2のセルグループ内の無認可キャリア上でCSIを(たとえば基地局1230に)送信し、第1のセルグループ内の認可キャリア上でCSIを送信することを控え得る。一態様では、CSIトリガが第2のセルグループ内の第2のキャリア上で受信された場合、CSI/フィードバック管理構成要素1210は、1258および1260で、送信構成要素1206を介して、第2のセルグループ内の認可キャリア上でのみCSIを送信し得る。一態様では、第2のセルグループ内の無認可キャリア上で非周期CSIを報告するための第2のセルグループは、単一のセルグループでもよい。
【０１０９】
本開示の別の態様によれば、送信電力管理構成要素1214は、認可キャリア上のアップリンクチャネルを介した認可サービングセルへのUCIの送信に総送信電力の第1の部分を割り振る。一態様では、アップリンクチャネルは、PUCCHまたはPUSCHのうちの少なくとも1つを含み得る。送信電力管理構成要素1214は、無認可キャリア上の非周期CSIの無認可セルへの送信に総送信電力の第2の部分を割り振り、第2の部分は、第1の部分をアップリンクチャネルに割り振った後の総送信電力の残りの部分以下である。送信電力管理構成要素1214は、総送信電力の第3の部分を、認可キャリアを介した第1の通信に、および無認可キャリアを介した第2の通信に割り振り、第3の部分は、第1の部分および第2の部分の割振り後の総送信電力の残りの部分以下である。一態様では、第3の部分は、認可キャリアを介した第1の通信、および無認可キャリアを介した第2の通信に等しく割り振られる。送信電力管理構成要素1214は、1266で、送信構成要素1206が送信電力割振りに基づいて送信を実行することができるように、送信電力割振りに関する情報を送信構成要素1206に転送し得る。
【０１１０】
装置は、図8〜図11の上述のフローチャートの中のアルゴリズムのブロックの各々を実行する追加の構成要素を含むことがある。したがって、図8〜図11の上述のフローチャートの中の各ブロックは、1つの構成要素によって実行されることがあり、装置は、それらの構成要素のうちの1つまたは複数を含むことがある。構成要素は、述べられたプロセス/アルゴリズムを遂行するように具体的に構成された1つまたは複数のハードウェア構成要素であるか、述べられたプロセス/アルゴリズムを実行するように構成されたプロセッサによって実装されるか、プロセッサによる実装のためにコンピュータ可読媒体内に記憶されるか、またはそれらの何らかの組合せであってもよい。
【０１１１】
図13は、処理システム1314を採用する装置1202'のためのハードウェア実装形態の一例を示す図1300である。処理システム1314は、バス1324によって全体的に表されるバスアーキテクチャで実装されてよい。バス1324は、処理システム1314の特定の適用例および全体的な設計制約に応じて、任意の数の相互接続するバスおよびブリッジを含んでもよい。バス1324は、プロセッサ1304によって表される1つまたは複数のプロセッサおよび/またはハードウェア構成要素と、構成要素1204、1206、1208、1210、1212、1214と、コンピュータ可読媒体/メモリ1306とを含む様々な回路を互いにリンクする。バス1324はまた、タイミングソース、周辺機器、電圧調整器、および電力管理回路などの様々な他の回路をリンクさせることができ、これらの回路は当技術分野でよく知られており、したがってこれらについてはこれ以上説明しない。
【０１１２】
処理システム1314は、トランシーバ1310に結合されてもよい。トランシーバ1310は1つまたは複数のアンテナ1320に結合される。トランシーバ1310は、伝送媒体上の様々な他の装置と通信するための手段を提供する。トランシーバ1310は、1つまたは複数のアンテナ1320から信号を受信し、受信された信号から情報を抽出し、抽出された情報を処理システム1314、特に受信構成要素1204に提供する。さらに、トランシーバ1310は、処理システム1314、特に送信構成要素1206から情報を受信し、受信された情報に基づいて、1つまたは複数のアンテナ1320に印加されるべき信号を生成する。処理システム1314は、コンピュータ可読媒体/メモリ1306に結合されたプロセッサ1304を含む。プロセッサ1304は、コンピュータ可読媒体/メモリ1306上に記憶されたソフトウェアの実行を含む全般的な処理を担う。ソフトウェアは、プロセッサ1304によって実行されると、処理システム1314に任意の特定の装置に関して上で説明された様々な機能を実行させる。コンピュータ可読媒体/メモリ1306は、ソフトウェアを実行するときにプロセッサ1304によって操作されるデータを記憶するためにも使用される場合がある。処理システム1314は、構成要素1204、1206、1208、1210、1212、1214のうちの少なくとも1つをさらに含む。それらの構成要素は、プロセッサ1304内で動作し、コンピュータ可読媒体/メモリ1306に常駐する/記憶されたソフトウェア構成要素、プロセッサ1304に結合された1つもしくは複数のハードウェア構成要素、またはそれらの何らかの組合せであり得る。処理システム1314は、UE350の構成要素である場合があり、メモリ360、ならびに/またはTXプロセッサ368、RXプロセッサ356、およびコントローラ/プロセッサ359のうちの少なくとも1つを含む場合がある。
【０１１３】
一構成では、ワイヤレス通信のための装置1202/1202'は、アップリンク通信についての許可を受信するための手段と、許可に基づいて報告サブフレームを決定するための手段と、参照サブフレームとして、許可が受信されたトリガサブフレームを選択するか、報告サブフレームの前のサブフレームを選択するかを決定するための手段と、参照サブフレームにおいて測定されたCSIを、報告サブフレームで送信するための手段とを含む。一態様では、装置1202/1202'は、報告サブフレームの位置を示すトリガ信号を受信するための手段をさらに含み得、報告サブフレームを決定するための手段が、許可およびトリガ信号に基づいて報告サブフレームを決定するように構成される。一態様では、トリガサブフレームを選択するか、報告サブフレームの前のサブフレームを選択するかを決定するための手段は、ダウンリンク制御情報におけるRRC信号または動的指示に基づいて、トリガサブフレームを選択するか、報告サブフレームの前のサブフレームを選択するかを決定するように構成される。
【０１１４】
別の構成では、ワイヤレス通信のための装置1202/1202'は、セルグループを決定するための手段であり、セルグループが、アップリンク制御チャネルで構成された少なくとも1つの認可キャリアと、1つまたは複数の無認可キャリアとを含む、手段と、セルグループによって提供された少なくとも1つの認可キャリア上のセルグループについてのハイブリッド自動再送要求(HARQ)肯定応答/否定応答(ACK/NACK)または周期チャネル状態情報(CSI)のうちの少なくとも1つを報告するための手段とを含む。
【０１１５】
別の構成では、ワイヤレス通信のための装置1202/1202'は、1つまたは複数の認可キャリアを含む第1のセルグループを決定するための手段と、1つまたは複数の無認可キャリアを含む第2のセルグループを決定するための手段と、CSIトリガを受信するための手段と、CSIトリガが第1のセルグループ内の第1のキャリア上で受信された場合、第1のセルグループ内の認可キャリア上でCSIを送信するための手段と、CSIトリガが第2のセルグループ内の第2のキャリア上で受信された場合、第2のセルグループ内の無認可キャリア上でCSIを送信するための手段とを含む。一態様では、装置1202/1202'は、CSIトリガが第2のセルグループ内の第2のキャリア上で受信された場合、第1のセルグループ内の認可キャリア上でCSIを送信することを控えるための手段と、CSIトリガが第1のセルグループ内の第1のキャリア上で受信された場合、第2のセルグループ内の無認可キャリア上でCSIを送信することを控えるための手段とをさらに含み得る。
【０１１６】
別の構成では、ワイヤレス通信のための装置1202/1202'は、認可キャリア上のアップリンクチャネルを介した認可サービングセルへのアップリンク制御情報の送信に総送信電力の第1の部分を割り振るための手段と、無認可キャリア上の非周期CSIの無認可セルへの送信に総送信電力の第2の部分を割り振るための手段であり、第2の部分が、第1の部分をアップリンクチャネルに割り振った後の総送信電力の残りの部分以下である、手段とを含む。一態様では、装置1202/1202'は、総送信電力の第3の部分を、認可キャリアを介した第1の通信に、および無認可キャリアを介した第2の通信に割り振るための手段であり、第3の部分が、第1の部分および第2の部分の割振り後の総送信電力の残りの部分以下である、手段をさらに含み得る。
【０１１７】
上述された手段は、上述された手段によって具陳された機能を実行するように構成された、装置1202の上述された構成要素、および/または装置1202'の処理システム1314のうちの1つまたは複数であり得る。上記で説明されたように、処理システム1314は、TXプロセッサ368、RXプロセッサ356、およびコントローラ/プロセッサ359を含む場合がある。そのため、一構成では、上述の手段は、上述の手段によって列挙された機能を実行するように構成されたTXプロセッサ368、RXプロセッサ356、およびコントローラ/プロセッサ359であり得る。
【０１１８】
開示されたプロセス/フローチャートにおけるブロックの特定の順序または階層が例示的な手法の例示であることを理解されたい。設計上の選好に基づいて、プロセス/フローチャートにおけるブロックの特定の順序または階層が再構成される場合があることを理解されたい。さらに、いくつかのブロックは組み合わされてもよく、または省略されてもよい。添付の方法クレームは、様々なブロックの要素を例示的な順序で提示したものであり、提示された特定の順序または階層に限定されるものではない。
【０１１９】
上述の説明は、本明細書で説明された様々な態様を当業者が実践できるようにするために提供される。これらの態様への様々な変更は当業者に容易に明らかになり、本明細書で定義される一般原理は他の態様に適用されてもよい。したがって、特許請求の範囲は、本明細書に示される態様に限定されるものではなく、クレーム文言と一致するすべての範囲を与えられるべきであり、単数形での要素への言及は、そのように明記されていない限り、「唯一無二の」ではなく、「1つまたは複数の」を意味するものとする。「例示的」という単語は、本明細書では「例、事例、または例示としての働きをすること」を意味するために使用される。本明細書で「例示的」として説明されている任意の態様は、必ずしも他の態様よりも好ましいまたは有利であると解釈されるべきではない。その他の形で特に述べられない限り、「いくつかの」という用語は、1つまたは複数を指す。「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、A、B、および/またはCの任意の組合せを含み、複数のA、複数のB、または複数のCを含み得る。具体的には、「A、B、またはCのうちの少なくとも1つ」、「A、B、またはCのうちの1つまたは複数」、「A、B、およびCのうちの少なくとも1つ」、「A、B、およびCのうちの1つまたは複数」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含み得る。当業者に知られているか、または後に知られることになる、本開示全体を通じて説明された様々な態様の要素に対するすべての構造的および機能的均等物が、参照により本明細書に明確に組み込まれ、特許請求の範囲によって包含されることが意図される。さらに、本明細書で開示したものは、そのような開示が特許請求の範囲に明示的に列挙されているかどうかにかかわらず、公に供されるものではない。「モジュール」、「機構」、「要素」、「デバイス」などの単語は、「手段」という単語の代用ではないことがある。したがって、いかなるクレーム要素も、その要素が「のための手段」という語句を使用して明確に列挙されていない限り、ミーンズプラスファンクションとして解釈されるべきではない。
【符号の説明】
【０１２０】
100  アクセスネットワーク
102  基地局
102'  スモールセル
104  UE
110  カバレージエリア
110'  カバレージエリア
120  通信リンク
132  バックホールリンク
134  バックホールリンク
150  Wi-Fiアクセスポイント(AP)
152  Wi-Fi局(STA)
154  通信リンク
160  発展型パケットコア(EPC)
162  モビリティ管理エンティティ(MME)
164  他のMME
166  サービングゲートウェイ
168  マルチメディアブロードキャストマルチキャストサービス(MBMS)ゲートウェイ
170  ブロードキャストマルチキャストサービスセンタ(BM-SC)
172  パケットデータネットワーク(PDN)ゲートウェイ
174  ホーム加入者サーバ(HSS)
176  IPサービス
180  ミリメートル波(mmW)基地局
184  ビームフォーミング
310  eNB
316  送信(TX)プロセッサ
318  送信機
320  アンテナ
350  UE
352  アンテナ
354  受信機
356  受信(RX)プロセッサ
358  チャネル推定器
359  コントローラ/プロセッサ
360  メモリ
368  TXプロセッサ
370  受信(RX)プロセッサ
374  チャネル推定器
375  コントローラ/プロセッサ
376  メモリ
410  UE
420  基地局
1202  装置
1202'  装置
1204  受信構成要素
1206  送信構成要素
1208  サブフレーム決定構成要素
1210  CSI/フィードバック管理構成要素
1212  セルグループ管理構成要素
1214  送信電力管理構成要素
1230  基地局
1304  プロセッサ
1306  コンピュータ可読媒体/メモリ
1310  トランシーバ
1314  処理システム
1320  アンテナ
1324  バス
【図１】
2019525621.tif 000003
【図２Ａ】
2019525621.tif 000004
【図２Ｂ】
2019525621.tif 000005
【図２Ｃ】
2019525621.tif 000006
【図２Ｄ】
2019525621.tif 000007
【図３】
2019525621.tif 000008
【図４】
2019525621.tif 000009
【図５Ａ】
2019525621.tif 000010
【図５Ｂ】
2019525621.tif 000011
【図６Ａ】
2019525621.tif 000012
【図６Ｂ】
2019525621.tif 000013
【図７】
2019525621.tif 000014
【図８】
2019525621.tif 000015
【図９】
2019525621.tif 000016
【図１０】
2019525621.tif 000017
【図１１】
2019525621.tif 000018
【図１２】
2019525621.tif 000019
【図１３】
2019525621.tif 000020
【手続補正書】
【提出日】平成31年2月5日(2019.2.5)
【手続補正１】
【補正対象書類名】特許請求の範囲
【補正対象項目名】全文
【補正方法】変更
【補正の内容】
【特許請求の範囲】
【請求項１】
共有スペクトルでのユーザ機器(UE)によるワイヤレス通信の方法であって、
アップリンク通信についての許可を受信するステップと、
前記許可に基づいて報告サブフレームを決定するステップと、
参照サブフレームとして、前記許可が受信されたトリガサブフレームを選択するか、前記報告サブフレームの前のサブフレームを選択するかを決定するステップと、
前記参照サブフレームにおいて測定されたチャネル状態情報(CSI)を、前記報告サブフレームで送信するステップと
を含み、前記許可が、ダウンリンク制御情報において動的に示される1つまたは複数の複数送信時間間隔(マルチTTI)許可を含み、前記報告サブフレームが、前記1つまたは複数のマルチTTI許可によって示されるサブフレームのうちの1つである、方法。
【請求項２】
前記許可が、前記許可の受信とアップリンク送信との間の遅延を示し、前記報告サブフレームが、前記遅延に基づいて決定される、請求項1に記載の方法。
【請求項３】
前記報告サブフレームの位置を示すトリガ信号を受信するステップ
をさらに含み、前記報告サブフレームが、前記許可および前記トリガ信号に基づいて決定される
請求項1に記載の方法。
【請求項４】
前記トリガサブフレームを選択するか、前記報告サブフレームの前の前記サブフレームを選択するかを決定する前記ステップが、無線リソース制御(RRC)信号またはダウンリンク制御情報内の動的指示に基づく、請求項1に記載の方法。
【請求項５】
前記報告サブフレームの前の前記サブフレームが、前記トリガサブフレームの後に配置される、請求項1に記載の方法。
【請求項６】
前記報告サブフレームの前の前記サブフレームが、前記報告サブフレームの少なくともあらかじめ定義された数だけ前のサブフレームに配置される、請求項5に記載の方法。
【請求項７】
前記報告サブフレームの前の前記サブフレームが、前記1つまたは複数のマルチTTI許可に基づいて前記参照サブフレームとして選択される、請求項1に記載の方法。
【請求項８】
共有スペクトルでのワイヤレス通信のためのユーザ機器(UE)であって、
アップリンク通信についての許可を受信するための手段と、
前記許可に基づいて報告サブフレームを決定するための手段と、
参照サブフレームとして、前記許可が受信されたトリガサブフレームを選択するか、前記報告サブフレームの前のサブフレームを選択するかを決定するための手段と、
前記参照サブフレームにおいて測定されたチャネル状態情報(CSI)を、前記報告サブフレームで送信するための手段と
を含み、前記許可が、ダウンリンク制御情報において動的に示される1つまたは複数の複数送信時間間隔(マルチTTI)許可を含み、前記報告サブフレームが、前記1つまたは複数のマルチTTI許可によって示されるサブフレームのうちの1つである、UE。
【請求項９】
前記許可が、前記許可の受信とアップリンク送信との間の遅延を示し、前記報告サブフレームが、前記遅延に基づいて決定される、請求項8に記載のUE。
【請求項１０】
前記報告サブフレームの位置を示すトリガ信号を受信するための手段
をさらに含み、前記報告サブフレームを決定するための前記手段が、前記許可および前記トリガ信号に基づいて前記報告サブフレームを決定するように構成される
請求項8に記載のUE。
【請求項１１】
前記トリガサブフレームを選択するか、前記報告サブフレームの前の前記サブフレームを選択するかを決定するための前記手段が、ダウンリンク制御情報における無線リソース制御(RRC)信号または動的指示に基づいて、前記トリガサブフレームを選択するか、前記報告サブフレームの前の前記サブフレームを選択するかを決定するように構成される、請求項8に記載のUE。
【請求項１２】
前記報告サブフレームの前の前記サブフレームが、前記トリガサブフレームの後に配置される、請求項8に記載のUE。
【請求項１３】
前記報告サブフレームの前の前記サブフレームが、前記報告サブフレームの少なくともあらかじめ定義された数だけ前のサブフレームに配置される、請求項12に記載のUE。
【請求項１４】
前記報告サブフレームの前の前記サブフレームが、前記1つまたは複数のマルチTTI許可に基づいて前記参照サブフレームとして選択される、請求項8に記載のUE。
【請求項１５】
共有スペクトルでのワイヤレス通信のためのユーザ機器(UE)であって、
メモリと、
前記メモリに結合された少なくとも1つのプロセッサとを備え、前記プロセッサが、
アップリンク通信についての許可を受信し、
前記許可に基づいて報告サブフレームを決定し、
参照サブフレームとして、前記許可が受信されたトリガサブフレームを選択するか、前記報告サブフレームの前のサブフレームを選択するかを決定し、
前記参照サブフレームにおいて測定されたチャネル状態情報(CSI)を、前記報告サブフレームで送信する
ように構成され、
前記許可が、ダウンリンク制御情報において動的に示される1つまたは複数の複数送信時間間隔(マルチTTI)許可を含み、前記報告サブフレームが、前記1つまたは複数のマルチTTI許可によって示されるサブフレームのうちの1つである、UE。
【請求項１６】
前記許可が、前記許可の受信とアップリンク送信との間の遅延を示し、前記報告サブフレームが、前記遅延に基づいて決定される、請求項15に記載のUE。
【請求項１７】
前記少なくとも1つのプロセッサがさらに、
前記報告サブフレームの位置を示すトリガ信号を受信する
ように構成され、前記報告サブフレームが、前記許可および前記トリガ信号に基づいて決定される
請求項15に記載のUE。
【請求項１８】
前記少なくとも1つのプロセッサが、無線リソース制御(RRC)信号またはダウンリンク制御情報内の動的指示に基づいて、前記トリガサブフレームを選択するか、前記報告サブフレームの前の前記サブフレームを選択するかを決定する、請求項15に記載のUE。
【請求項１９】
前記報告サブフレームの前の前記サブフレームが、前記トリガサブフレームの後に配置される、請求項15に記載のUE。
【請求項２０】
前記報告サブフレームの前の前記サブフレームが、前記報告サブフレームの少なくともあらかじめ定義された数だけ前のサブフレームに配置される、請求項19に記載のUE。
【請求項２１】
前記報告サブフレームの前の前記サブフレームが、前記1つまたは複数のマルチTTI許可に基づいて前記参照サブフレームとして選択される、請求項15に記載のUE。
【請求項２２】
コンピュータ実行可能コードを記憶するコンピュータ可読記憶媒体であって、
アップリンク通信についての許可を受信し、
前記許可に基づいて報告サブフレームを決定し、
参照サブフレームとして、前記許可が受信されたトリガサブフレームを選択するか、前記報告サブフレームの前のサブフレームを選択するかを決定し、
前記参照サブフレームにおいて測定されたチャネル状態情報(CSI)を、前記報告サブフレームで送信する
ためのコードを含み、前記許可が、ダウンリンク制御情報において動的に示される1つまたは複数の複数送信時間間隔(マルチTTI)許可を含み、前記報告サブフレームが、前記1つまたは複数のマルチTTI許可によって示されるサブフレームのうちの1つである、コンピュータ可読記憶媒体。
【国際調査報告】
2019525621.tif 000021
2019525621.tif 000022
2019525621.tif 000023
2019525621.tif 000024
2019525621.tif 000025